(57)【特許請求の範囲】
【請求項１】
呼制御デバイスであって、前記呼制御デバイスは、着呼側ユーザ機器（ＵＥ）のホームネットワークに位置するホーム加入者サーバ（ＨＳＳ）であり、前記ホームネットワークはＩＰマルチメディアサブシステム（ＩＭＳ）ドメイン及び回線交換（ＣＳ）ドメインを含み、前記呼制御デバイスは、
受信モジュールであって、呼が前記着呼側ＵＥに対し開始されているとき、前記ホームネットワークにおけるゲートウェイ移動通信交換局（ＧＭＳＣ）である呼ルーティングデバイスによって送信されたアクセスドメイン確認要求メッセージを受信するように構成され、前記アクセスドメイン確認要求メッセージは前記着呼側ＵＥの識別子を保有する、受信モジュールと、
判断モジュールであって、前記受信モジュールによって受信された前記着呼側ＵＥの前記識別子に従って、前記ホームネットワークが前記ホームネットワークにおける前記回線交換ドメインを用いることによって前記着呼側ＵＥの訪問先ネットワークと通信すると判断するように構成される、判断モジュールと、
送信モジュールであって、前記判断モジュールが、前記ホームネットワークが前記ホームネットワークにおける前記ＣＳドメインを用いることによって前記訪問先ネットワークと通信すると判断した後、アクセスドメイン確認応答メッセージを前記呼ルーティングデバイスに送信するように構成され、前記アクセスドメイン確認応答メッセージは命令情報を保有し、前記命令情報は、前記呼ルーティングデバイスに、前記ホームネットワークにおける前記ＣＳドメインを用いることによって前記呼を前記訪問先ネットワークにルーティングするように命令するために用いられる、送信モジュールと、
を備える、呼制御デバイス。
【請求項２】
前記送信モジュールは、前記アクセスドメイン確認応答メッセージを前記呼ルーティングデバイスに送信するように特に構成され、前記アクセスドメイン確認応答メッセージは、終端のモバイルネットワークエンハンストロジックのためのカスタマイズアプリケーションの加入情報（Ｔ＿ＣＳＩ）を保有し、前記Ｔ＿ＣＳＩは、前記呼ルーティングデバイスに、前記ＣＳドメインを用いることによって、前記呼を前記訪問先ネットワークにルーティングするためのローミング番号を取得するように命令するのに用いられる、請求項１に記載の呼制御デバイス。
【請求項３】
前記受信モジュールは、前記訪問先ネットワークにおける訪問先移動通信交換局（ＶＭＳＣ）によって送信されたロケーション更新要求メッセージを受信するように更に構成され、前記ロケーション更新要求メッセージは、前記着呼側ＵＥの前記識別子を保有し、
前記送信モジュールは、前記ホームネットワークが前記ホームネットワークにおける前記ＣＳドメインを用いることによって前記訪問先ネットワークと通信する場合、前記受信モジュールによって受信された前記着呼側ＵＥの前記識別子に従って、データ挿入要求メッセージを前記ＶＭＳＣに送信するように更に構成され、前記データ挿入要求メッセージは、前記着呼側ＵＥが前記ホームネットワークにおけるサービスに加入しているときに記憶される加入者情報を保有し、それによって、前記送信モジュールは、前記加入者情報に従って前記訪問先ネットワークへの前記着呼側ＵＥの登録を行うように前記ＶＭＳＣに命令する、請求項１又は２に記載の呼制御デバイス。
【請求項４】
前記ロケーション更新要求メッセージは、ビジターロケーションレジスタ（ＶＬＲ）の番号を含み、
前記判断モジュールは、
前記訪問先ネットワークと前記ホームネットワークとの間のローミング協定を、前記ＶＬＲの前記番号、及び前記ＶＬＲの前記番号と前記ローミング協定との間の対応関係に従って決定し、
前記訪問先ネットワークと前記ホームネットワークとの間の前記ローミング協定に従って、前記ホームネットワークが前記ホームネットワークにおける前記ＣＳドメインを用いることによって前記訪問先ネットワークと通信すると判断するように特に構成される、請求項３に記載の呼制御デバイス。
【請求項５】
ユーザサービス処理方法であって、
呼が着呼側ユーザ機器（ＵＥ）に対し開始されているとき、前記着呼側ＵＥのホームネットワークにおけるホーム加入者サーバ（ＨＳＳ）である呼制御デバイスによって、前記着呼側ＵＥの前記ホームネットワークにおけるゲートウェイ移動通信交換局（ＧＭＳＣ）である呼ルーティングデバイスによって送信されたアクセスドメイン確認要求メッセージを受信するステップであって、前記アクセスドメイン確認要求メッセージは前記着呼側ＵＥの識別子を保有する、ステップと、
前記呼制御デバイスによって、前記着呼側ＵＥの前記識別子に従って、前記ホームネットワークが前記ホームネットワークにおける回線交換（ＣＳ）ドメインを用いることによって前記着呼側ＵＥの訪問先ネットワークと通信すると判断するステップと、
前記呼制御デバイスによって、アクセスドメイン確認応答メッセージを前記呼ルーティングデバイスに送信するステップであって、前記アクセスドメイン確認応答メッセージは命令情報を保有し、前記命令情報は、前記呼ルーティングデバイスに、前記ホームネットワークにおける前記ＣＳドメインを用いることによって前記呼を前記訪問先ネットワークにルーティングするように命令するために用いられる、ステップと、
を含み、
前記ホームネットワークは、ＩＰマルチメディアサブシステム（ＩＭＳ）ドメイン及び前記回線交換ドメインを含む、方法。
【請求項６】
前記呼制御デバイスによって、アクセスドメイン確認応答メッセージを前記呼ルーティングデバイスに前記送信するステップは、
前記呼制御デバイスによって、前記アクセスドメイン確認応答メッセージを前記呼ルーティングデバイスに前記送信するステップであって、前記アクセスドメイン確認応答メッセージは、終端のモバイルネットワークエンハンストロジックのためのカスタマイズアプリケーションの加入情報（Ｔ＿ＣＳＩ）を保有し、前記Ｔ＿ＣＳＩは、前記呼ルーティングデバイスに、前記ＣＳドメインを用いることによって、前記呼を前記訪問先ネットワークにルーティングするためのローミング番号を取得するように命令するのに用いられる、ステップを含む、請求項５に記載の方法。
【請求項７】
前記呼制御デバイスによって、前記訪問先ネットワークにおける訪問先移動通信交換局（ＶＭＳＣ）によって送信されたロケーション更新要求メッセージを受信するステップであって、前記ロケーション更新要求メッセージは前記着呼側ＵＥの前記識別子を保有する、ステップと、
前記ホームネットワークが前記ホームネットワークにおける前記ＣＳドメインを用いることによって前記訪問先ネットワークと通信する場合、前記呼制御デバイスによって、前記着呼側ＵＥの前記識別子に従って、データ挿入要求メッセージを前記ＶＭＳＣに送信するステップであって、前記データ挿入要求メッセージは、前記着呼側ＵＥが前記ホームネットワークにおけるサービスに加入しているときに記憶される加入者情報を保有し、それによって、前記呼制御デバイスは、前記加入者情報に従って前記訪問先ネットワークへの前記着呼側ＵＥの登録を行うように前記ＶＭＳＣに命令する、ステップと、
を更に含む、請求項５又は６に記載の方法。
【請求項８】
プログラムが記録されたコンピュータ可読記憶媒体であって、前記プログラムは、請求項５から７のいずれか一項に記載の方法をコンピュータに実行させる、コンピュータ可読記憶媒体。
【発明の詳細な説明】
【技術分野】
【０００１】
本出願は、２０１３年１２月３１日に中国特許庁に出願された、「ＣＡＬＬ  ＣＯＮＴＲＯＬ  ＤＥＶＩＣＥ  ＡＮＤ  ＵＳＥＲ  ＳＥＲＶＩＣＥ  ＰＲＯＣＥＳＳＩＮＧ  ＭＥＴＨＯＤ」と題する中国特許出願第２０１３１０７５１７８０．９号の優先権を主張し、この中国特許出願は参照によりその全体が本明細書に援用される。
【０００２】
本発明は通信分野に関し、特に、呼制御デバイス、ホーム加入者サーバ（Ｈｏｍｅ  Ｓｕｂｓｃｒｉｂｅｒ  Ｓｅｒｖｅｒ，ＨＳＳ）、アプリケーションサーバ（Ａｐｐｌｉｃａｔｉｏｎ  Ｓｅｒｖｅｒ，ＡＳ）及びユーザサービス処理方法に関する。
【背景技術】
【０００３】
第３世代パートナーシッププロジェクト（ｔｈｅ  ３ｒｄ  Ｇｅｎｅｒａｔｉｏｎ  Ｐａｒｔｎｅｒｓｈｉｐ  Ｐｒｏｊｅｃｔ，３ＧＰＰ）は、インターネットプロトコル（Ｉｎｔｅｒｎｅｔ  Ｐｒｏｔｏｃｏｌ，ＩＰ）に基づく次世代ネットワークアーキテクチャ、すなわち、ＩＰマルチメディアサブシステム（ＩＰ  Ｍｕｌｔｉｍｅｄｉａ  Ｓｕｂｓｙｓｔｅｍ，ＩＭＳ）を提案している。従来の回線交換（Ｃｉｒｃｕｉｔ  Ｓｗｉｔｃｈ，ＣＳ）ドメインと比較して、ＩＭＳドメインは、ユーザに対し豊富なマルチメディアサービスを提供することができる。
【０００４】
３ＧＰＰは、ＩＭＳ中央集中型サービス（ＩＭＳ  Ｃｅｎｔｒａｌｉｚｅｄ  Ｓｅｒｖｉｃｅｓ，ＩＣＳ）ネットワークアーキテクチャを更に提案している。ＩＣＳネットワークアーキテクチャでは、従来のＣＳドメインは、ＩＭＳドメインのアクセスネットワークにデグレードされている。コアネットワークとして、ＩＭＳドメインは全てのユーザサービスを制御し、それによって、２Ｇネットワーク、３Ｇネットワーク又はロングタームエボリューション（Ｌｏｎｇ  Ｔｅｒｍ  Ｅｖｏｌｕｔｉｏｎ，ＬＴＥ）等のネットワークにおけるサービス体験の一貫性及び連続性が達成されることが可能である。現在のところ、ＩＣＳの実施方式は、ライブネットワークにおける移動通信交換局（Ｍｏｂｉｌｅ  Ｓｗｉｔｃｈ  Ｃｅｎｔｅｒ，ＭＳＣ）を移動アクセスゲートウェイ制御機能（ｍｏｂｉｌｅ  Ａｃｃｅｓｓ  Ｇａｔｅｗａｙ  Ｃｏｎｔｒｏｌ  Ｆｕｎｃｔｉｏｎ，ｍＡＧＣＦ）デバイスにアップグレードしており、ＭＳＣドメインがＩＣＳ機能をサポートするようにし、それによってＣＳドメインとＩＭＳドメインとの間の連携動作を実施する。
【０００５】
ライブネットワークにおけるＭＳＣのアップグレードは段階的プロセスである。ＭＳＣがアップグレードされないとき、ＣＳドメイン内の全ての付加サービスがＩＭＳドメインによって制御されることを実施するためにアンカリング方式が用いられる必要がある。例えば、ユーザ機器（Ｕｓｅｒ  Ｅｑｕｉｐｍｅｎｔ，ＵＥ）がＣＳドメイン内に位置している場合において、ＵＥが発呼側ユーザ機器として呼を開始するか又は着呼側ユーザ機器として呼を受信するとき、呼はＵＥのホームネットワークにおけるＩＭＳドメインにルーティングされ、ＩＭＳドメインがサービスを提供する。
【０００６】
ＵＥが訪問先ネットワークにローミングした後、例えば、ＵＥが自国から外国にローミングした後、全てのサービスが依然としてＵＥのホームネットワークにおけるＩＭＳドメインによって制御及び提供されている場合、ＵＥの訪問先ネットワークは、ホームネットワークにおけるＩＭＳドメインにリアルタイムで、トリガーされる必要があるサービスに関する情報を返す必要があり、それによって、ホームネットワークにおけるＩＭＳドメインは、返された情報に従って対応するサービスをトリガーする。一方、訪問先ネットワークにおけるＣＳドメインと、ホームネットワークにおけるＩＭＳドメインとの間に幾つかの差異が存在し、例えば、タイマーの持続時間が不一致であるか、又はシグナリングメカニズムが異なる。この場合、ＵＥが着呼側ＵＥとして用いられるとき、トリガーされる必要がある多くのサービスが、正常にトリガーされることが不可能である。例えば、遅延転送サービスについて、ホームネットワークにおけるＩＭＳドメインに対し失敗原因値を返すことができず、ホームネットワークにおけるＩＭＳドメインが失敗原因値に従って遅延転送サービスをトリガーすることができないことが起こり得る。
【発明の概要】
【０００７】
本発明の実施形態は、呼制御デバイスと、ＨＳＳと、ＡＳと、ユーザサービス処理方法とを提供し、訪問先ネットワークはサービス情報をホームネットワークにリアルタイムで返す必要がなく、それによって、着呼側ＵＥのサービスが正常にトリガーされることが可能であることを確実にする。
【０００８】
第１の態様によれば、呼制御デバイスが提供され、呼制御デバイスは、着呼側ユーザ機器ＵＥのホームネットワークに位置し、呼制御デバイスは、受信モジュールであって、呼が着呼側ＵＥに対し開始されているとき、ホームネットワークにおける呼ルーティングデバイスによって送信されたアクセスドメイン確認要求メッセージを受信するように構成され、アクセスドメイン確認要求メッセージは着呼側ＵＥの識別子を保有する、受信モジュールと、判断モジュールであって、受信モジュールによって受信された着呼側ＵＥの識別子に従って、ホームネットワークがホームネットワークにおける回線交換ＣＳドメインを用いることによって着呼側ＵＥの訪問先ネットワークと通信すると判断するように構成される、判断モジュールと、送信モジュールであって、判断モジュールが、ホームネットワークがホームネットワークにおけるＣＳドメインを用いることによって訪問先ネットワークと通信すると判断した後、アクセスドメイン確認応答メッセージを呼ルーティングデバイスに送信するように構成され、アクセスドメイン確認応答メッセージは命令情報を保有し、命令情報は、呼ルーティングデバイスに、ホームネットワークにおけるＣＳドメインを用いることによって呼を訪問先ネットワークにルーティングするように命令するために用いられる、送信モジュールと、を備える。
【０００９】
第１の態様を参照して、第１の可能な実施方式では、呼制御デバイスはホーム加入者サーバＨＳＳであり、呼ルーティングデバイスはゲートウェイ移動通信交換局ＧＭＳＣである。
【００１０】
第１の態様の第１の可能な実施方式を参照して、第２の可能な実施方式では、送信モジュールは、アクセスドメイン確認応答メッセージを呼ルーティングデバイスに送信するように特に構成され、アクセスドメイン確認応答メッセージは、終端のモバイルネットワークエンハンストロジックのためのカスタマイズアプリケーションの加入情報Ｔ＿ＣＳＩを保有し、Ｔ＿ＣＳＩは、呼ルーティングデバイスに、ＣＳドメインを用いることによって、呼を訪問先ネットワークにルーティングするためのローミング番号を取得するように命令するのに用いられる。
【００１１】
第１の態様の第１の可能な実施方式又は第２の可能な実施方式を参照して、第３の可能な実施方式では、受信モジュールは、訪問先ネットワークにおける訪問先移動通信交換局ＶＭＳＣによって送信されたロケーション更新要求メッセージを受信するように更に構成され、ロケーション更新要求メッセージは、着呼側ＵＥの識別子を保有し、送信モジュールは、ホームネットワークがホームネットワークにおけるＣＳドメインを用いることによって訪問先ネットワークと通信する場合、受信モジュールによって受信された着呼側ＵＥの識別子に従って、データ挿入要求メッセージをＶＭＳＣに送信するように更に構成され、データ挿入要求メッセージは、着呼側ＵＥがホームネットワークにおけるサービスに加入しているときに記憶される加入者情報を保有し、それによって、送信モジュールは、加入者情報に従って訪問先ネットワークへの着呼側ＵＥの登録を行うようにＶＭＳＣに命令する。
【００１２】
第１の態様の第３の可能な実施方式を参照して、第４の可能な実施方式では、ロケーション更新要求メッセージは、ビジターロケーションレジスタＶＬＲの番号を含み、判断モジュールは、訪問先ネットワークとホームネットワークとの間のローミング協定を、ＶＬＲの番号、及びＶＬＲの番号とローミング協定との間の対応関係に従って決定し、訪問先ネットワークとホームネットワークとの間のローミング協定に従って、ホームネットワークがホームネットワークにおけるＣＳドメインを用いることによって訪問先ネットワークと通信すると判断するように特に構成される。
【００１３】
第１の態様の第３の可能な実施方式を参照して、第５の可能な実施方式では、加入者情報は、遅延転送サービスに関する情報を含む。
【００１４】
上記の実施方式のうちの任意の方式を参照して、第６の可能な実施方式では、呼制御デバイスはチェックモジュールを更に備え、受信モジュールは、ホームネットワークにおけるアプリケーションサーバＡＳによって送信されたデータ更新要求メッセージを受信するように更に構成され、データ更新要求メッセージは、着呼側ＵＥが付加サービスを設定することを要求していることを示すために用いられ、チェックモジュールは、ホームネットワークがホームネットワークにおけるＣＳドメインを用いることによって訪問先ネットワークと通信する場合、付加サービスをチェックするように構成され、送信モジュールは、データ更新応答メッセージをＡＳに送信するように更に構成され、データ更新応答メッセージは、付加サービスの設定に成功したことの識別子又は付加サービスの設定に失敗したことの識別子を保有する。
【００１５】
第１の態様を参照して、第７の可能な実施方式では、呼制御デバイスはＡＳであり、呼ルーティングデバイスは呼セッション制御機能ＣＳＣＦデバイスである。
【００１６】
第１の態様の第７の可能な実施方式を参照して、第８の可能な実施方式では、送信モジュールは、アクセスドメイン確認応答メッセージを呼ルーティングデバイスに送信するように特に構成され、アクセスドメイン確認応答メッセージは特殊な番号を保有し、特殊な番号は、呼ルーティングデバイスに、ホームネットワークにおけるＣＳドメインを用いることによって呼を訪問先ネットワークにルーティングするように命令するために用いられる。
【００１７】
第１の態様の第８の可能な実施方式又は第７の実施方式を参照して、第９の可能な実施方式では、送信モジュールは、アクセスドメイン情報要求メッセージをＨＳＳに送信するように更に構成され、アクセスドメイン情報要求メッセージは、着呼側ＵＥの識別子を保有し、受信モジュールは、ＨＳＳによって送信されたアクセスドメイン情報応答メッセージを受信するように更に構成され、アクセスドメイン情報応答メッセージはアクセスドメイン情報を保有し、アクセスドメイン情報は、ホームネットワークがホームネットワークにおけるＣＳドメインを用いることによって訪問先ネットワークと通信することを示すために用いられる。
【００１８】
第１の態様の第９の可能な実施方式を参照して、第１０の可能な実施方式では、受信モジュールは、着呼側ＵＥによって送信された付加サービス設定要求メッセージを受信するように更に構成され、付加サービス設定要求メッセージは、着呼側ＵＥが付加サービスを設定することを要求していることを示すために用いられ、送信モジュールは、ホームネットワークがホームネットワークにおけるＣＳドメインを用いることによって訪問先ネットワークと通信する場合、データ更新要求メッセージをＨＳＳに送信するように更に構成され、データ更新要求メッセージは、着呼側ＵＥが付加サービスを設定することを要求していることを示すために用いられ、受信モジュールは、ＨＳＳによって送信されたデータ更新応答メッセージを受信するように更に構成され、データ更新応答メッセージは、付加サービスの設定に成功したことの識別子又は付加サービスの設定に失敗したことの識別子を保有し、送信モジュールは、付加サービス設定応答メッセージを着呼側ＵＥに送信するように更に構成され、付加サービス設定応答メッセージは、付加サービスの設定に成功したことの識別子又は付加サービスの設定に失敗したことの識別子を保有する。
【００１９】
第２の態様によれば、ホーム加入者サーバＨＳＳが提供され、ＨＳＳはユーザ機器ＵＥのホームネットワークに位置し、ＨＳＳは、受信モジュールであって、ＵＥの訪問先ネットワークにおける訪問先移動通信交換局ＶＭＳＣによって送信されたロケーション更新要求メッセージを受信するように構成され、ロケーション更新要求メッセージは、ＵＥの識別子を保有する、受信モジュールと、判断モジュールであって、受信モジュールによって受信されたＵＥの識別子に従って、ホームネットワークがホームネットワークにおける回線交換ＣＳドメインを用いることによって訪問先ネットワークと通信するか否かを判断するように構成される、判断モジュールと、送信モジュールであって、判断モジュールが、ホームネットワークがホームネットワークにおけるＣＳドメインを用いることによって訪問先ネットワークと通信すると判断する場合、データ挿入要求メッセージをＶＭＳＣに送信するように構成され、データ挿入要求メッセージは、ＵＥがホームネットワークにおけるサービスに加入しているときに記憶される加入者情報を保有し、それによって、送信モジュールは、加入者情報に従って訪問先ネットワークへのＵＥの登録を行うようにＶＭＳＣに命令する、送信モジュールと、を備える。
【００２０】
第２の態様を参照すると、第１の可能な実施方式では、ロケーション更新要求メッセージは、ビジターロケーションレジスタＶＬＲの番号を含み、判断モジュールは、訪問先ネットワークとホームネットワークとの間のローミング協定を、ＶＬＲの番号、及びＶＬＲの番号とローミング協定との間の対応関係に従って決定し、訪問先ネットワークとホームネットワークとの間のローミング協定に従って、ホームネットワークがホームネットワークにおけるＣＳドメインを用いることによって訪問先ネットワークと通信すると判断するように特に構成される。
【００２１】
第２の態様又は第２の態様の第１の可能な実施方式を参照して、第２の可能な実施方式では、加入者情報は、遅延転送サービスに関する情報を含む。
【００２２】
第２の態様の第２の可能な実施方式を参照して、第３の可能な実施方式では、ＨＳＳはチェックモジュールを更に備え、受信モジュールは、ホームネットワークにおけるアプリケーションサーバＡＳによって送信されたデータ更新要求メッセージを受信するように更に構成され、データ更新要求メッセージは、ＵＥが付加サービスを設定することを要求していることを示すために用いられ、チェックモジュールは、ホームネットワークがホームネットワークにおけるＣＳドメインを用いることによって訪問先ネットワークと通信する場合、付加サービスをチェックするように構成され、送信モジュールは、データ更新応答メッセージをＡＳに送信するように更に構成され、データ更新応答メッセージは、付加サービスの設定に成功したことの識別子又は付加サービスの設定に失敗したことの識別子を保有する。
【００２３】
第３の態様によれば、アプリケーションサーバＡＳが提供され、ＡＳはユーザ機器ＵＥのホームネットワークに位置し、受信モジュールであって、ＵＥによって送信された付加サービス設定要求メッセージを受信するように構成され、付加サービス設定要求メッセージは、ＵＥが付加サービスを設定することを要求していることを示すために用いられる、受信モジュールと、判断モジュールであって、ホームネットワークがホームネットワークにおける回線交換ＣＳドメインを用いることによってＵＥの訪問先ネットワークと通信するか否かを判断するように構成される、判断モジュールと、送信モジュールであって、ホームネットワークがホームネットワークにおけるＣＳドメインを用いることによって訪問先ネットワークと通信すると判断される場合、付加サービスのチェックをスキップし、データ更新要求メッセージをホームネットワークにおけるホーム加入者サーバＨＳＳに送信するように構成され、それによって、ＨＳＳが、データ更新要求メッセージに従って付加サービスをチェックする、送信モジュールと、を備える。
【００２４】
第３の態様を参照して、第１の可能な実施方式では、送信モジュールは、アクセスドメイン情報要求メッセージをＨＳＳに送信するように更に構成され、アクセスドメイン情報要求メッセージは、ＵＥの識別子を保有し、受信モジュールは、ＨＳＳによって送信されたアクセスドメイン情報応答メッセージを受信するように更に構成され、アクセスドメイン情報応答メッセージはアクセスドメイン情報を保有し、アクセスドメイン情報は、ホームネットワークがホームネットワークにおけるＣＳドメインを用いることによって訪問先ネットワークと通信するか否かを示すために用いられる。
【００２５】
第３の態様又は第３の態様の第１の可能な実施方式を参照して、第２の可能な実施方式では、受信モジュールは、送信モジュールがデータ更新要求メッセージをＨＳＳに送信した後に、ＨＳＳによって送信されたデータ更新応答メッセージを受信するように更に構成され、データ更新応答メッセージは、付加サービスの設定に成功したことの識別子又は付加サービスの設定に失敗したことの識別子を保有し、送信モジュールは、付加サービス設定応答メッセージをＵＥに送信するように更に更新され、付加サービス設定応答メッセージは、付加サービスの設定に成功したことの識別子又は付加サービスの設定に失敗したことの識別子を保有する。
【００２６】
第４の態様によれば、ユーザサービス処理方法が提供され、呼が着呼側ユーザ機器ＵＥに対し開始されているとき、着呼側ＵＥのホームネットワークにおける呼制御デバイスによって、着呼側ＵＥのホームネットワークにおける呼ルーティングデバイスによって送信されたアクセスドメイン確認要求メッセージを受信するステップであって、アクセスドメイン確認要求メッセージは着呼側ＵＥの識別子を保有する、ステップと、呼制御デバイスによって、着呼側ＵＥの識別子に従って、ホームネットワークがホームネットワークにおける回線交換ＣＳドメインを用いることによって着呼側ＵＥの訪問先ネットワークと通信すると判断するステップと、呼制御デバイスによって、アクセスドメイン確認応答メッセージを呼ルーティングデバイスに送信するステップであって、アクセスドメイン確認応答メッセージは命令情報を保有し、命令情報は、呼ルーティングデバイスに、ホームネットワークにおけるＣＳドメインを用いることによって呼を訪問先ネットワークにルーティングするように命令するために用いられる、ステップと、を含む。
【００２７】
第４の態様を参照して、第１の可能な実施方式では、呼制御デバイスはホーム加入者サーバＨＳＳであり、呼ルーティングデバイスはゲートウェイ移動通信交換局ＧＭＳＣである。
【００２８】
第４の態様の第１の可能な実施方式を参照して、第２の可能な実施方式では、呼制御デバイスによって、アクセスドメイン確認応答メッセージを呼ルーティングデバイスに送信するステップは、呼制御デバイスによって、アクセスドメイン確認応答メッセージを呼ルーティングデバイスに送信するステップであって、アクセスドメイン確認応答メッセージは、終端のモバイルネットワークエンハンストロジックのためのカスタマイズアプリケーションの加入情報Ｔ＿ＣＳＩを保有し、Ｔ＿ＣＳＩは、呼ルーティングデバイスに、ＣＳドメインを用いることによって、呼を訪問先ネットワークにルーティングするためのローミング番号を取得するように命令するのに用いられる、ステップを含む。
【００２９】
第４の態様の第１の可能な実施方式又は第２の可能な実施方式を参照して、第３の可能な実施方式では、本方法は、呼制御デバイスによって、訪問先ネットワークにおける訪問先移動通信交換局ＶＭＳＣによって送信されたロケーション更新要求メッセージを受信するステップであって、ロケーション更新要求メッセージは着呼側ＵＥの識別子を保有する、ステップと、ホームネットワークがホームネットワークにおけるＣＳドメインを用いることによって訪問先ネットワークと通信する場合、呼制御デバイスによって、着呼側ＵＥの識別子に従って、データ挿入要求メッセージをＶＭＳＣに送信するステップであって、データ挿入要求メッセージは、着呼側ＵＥがホームネットワークにおけるサービスに加入しているときに記憶される加入者情報を保有し、それによって、呼制御デバイスは、加入者情報に従って訪問先ネットワークへの着呼側ＵＥの登録を行うようにＶＭＳＣに命令する、ステップと、を更に含む。
【００３０】
第４の態様の第３の可能な実施方式を参照して、第４の可能な実施方式では、ロケーション更新要求メッセージは、ビジターロケーションレジスタＶＬＲの番号を含み、呼制御デバイスによって、着呼側ＵＥの識別子に従って、ホームネットワークがホームネットワークにおける回線交換ＣＳドメインを用いることによって着呼側ＵＥの訪問先ネットワークと通信すると判断するステップは、呼制御デバイスによって、訪問先ネットワークとホームネットワークとの間のローミング協定を、ＶＬＲの番号、及びＶＬＲの番号とローミング協定との間の対応関係に従って決定するステップと、呼制御デバイスによって、訪問先ネットワークとホームネットワークとの間のローミング協定に従って、ホームネットワークがホームネットワークにおけるＣＳドメインを用いることによって訪問先ネットワークと通信すると判断するステップと、を含む。
【００３１】
第４の態様の第３の可能な実施方式又は第４の可能な実施方式を参照して、第５の可能な実施方式では、加入者情報は、遅延転送サービスに関する情報を含む。
【００３２】
上記の実施方式のうちの任意の方式を参照して、第６の可能な実施方式では、本方法は、呼制御デバイスによって、ホームネットワークにおけるアプリケーションサーバＡＳによって送信されたデータ更新要求メッセージを受信するステップであって、データ更新要求メッセージは、着呼側ＵＥが付加サービスを設定することを要求していることを示すために用いられる、ステップと、呼制御デバイスによって、ホームネットワークがホームネットワークにおけるＣＳドメインを用いることによって訪問先ネットワークと通信する場合、付加サービスをチェックするステップと、呼制御デバイスによって、データ更新応答メッセージをＡＳに送信するステップであって、データ更新応答メッセージは、付加サービスの設定に成功したことの識別子又は付加サービスの設定に失敗したことの識別子を保有する、ステップと、を更に含む。
【００３３】
第４の態様を参照して、第７の可能な実施方式では、呼制御デバイスはＡＳであり、呼ルーティングデバイスは呼セッション制御機能ＣＳＣＦデバイスである。
【００３４】
第４の態様の第７の可能な実施方式を参照して、第８の可能な実施方式では、呼制御デバイスによって、アクセスドメイン確認応答メッセージを呼ルーティングデバイスに送信するステップは、呼制御デバイスによって、アクセスドメイン確認応答メッセージを呼ルーティングデバイスに送信するステップであって、アクセスドメイン確認応答メッセージは特殊な番号を保有し、特殊な番号は、呼ルーティングデバイスに、ホームネットワークにおけるＣＳドメインを用いることによって呼を訪問先ネットワークにルーティングするように命令するために用いられる、ステップを含む。
【００３５】
第４の態様の第７の可能な実施方式又は第８の可能な実施方式を参照して、第９の可能な実施方式では、呼制御デバイスによって、着呼側ＵＥの識別子に従って、ホームネットワークがホームネットワークにおける回線交換ＣＳドメインネットワークを用いることによって着呼側ＵＥの訪問先ネットワークと通信すると判断するステップは、呼制御デバイスによって、アクセスドメイン情報要求メッセージをＨＳＳに送信するステップであって、アクセスドメイン情報要求メッセージは、着呼側ＵＥの識別子を保有する、ステップと、呼制御デバイスによって、ＨＳＳによって送信されたアクセスドメイン情報応答メッセージを受信するステップであって、アクセスドメイン情報応答メッセージはアクセスドメイン情報を保有し、アクセスドメイン情報は、ホームネットワークがホームネットワークにおけるＣＳドメインを用いることによって訪問先ネットワークと通信することを示すために用いられる、ステップと、を含む。
【００３６】
第４の態様の第９の可能な実施方式を参照して、第１０の可能な実施方式では、本方法は、呼制御デバイスによって、着呼側ＵＥによって送信された付加サービス設定要求メッセージを受信するステップであって、付加サービス設定要求メッセージは、着呼側ＵＥが付加サービスを設定することを要求していることを示すために用いられる、ステップと、ホームネットワークがホームネットワークにおけるＣＳドメインを用いることによって訪問先ネットワークと通信する場合、呼制御デバイスによって、データ更新要求メッセージをＨＳＳに送信するステップであって、データ更新要求メッセージは、着呼側ＵＥが付加サービスを設定することを要求していることを示すために用いられる、ステップと、呼制御デバイスによって、ＨＳＳによって送信されたデータ更新応答メッセージを受信するステップであって、データ更新応答メッセージは、付加サービスの設定に成功したことの識別子又は付加サービスの設定に失敗したことの識別子を保有する、ステップと、呼制御デバイスによって、付加サービス設定応答メッセージを着呼側ＵＥに送信するステップであって、付加サービス設定応答メッセージは、付加サービスの設定に成功したことの識別子又は付加サービスの設定に失敗したことの識別子を保有する、ステップと、を更に含む。
【００３７】
第５の態様によれば、ユーザサービス処理方法が提供され、ユーザ機器ＵＥのホームネットワークにおけるホーム加入者サーバＨＳＳによって、ＵＥの訪問先ネットワークにおける訪問先移動通信交換局ＶＭＳＣによって送信されたロケーション更新要求メッセージを受信するステップであって、ロケーション更新要求メッセージはＵＥの識別子を保有する、ステップと、ＨＳＳによって、ＵＥの識別子に従って、ホームネットワークがホームネットワークにおける回線交換ＣＳドメインを用いることによって訪問先ネットワークと通信するか否かを判断するステップと、ＨＳＳが、ホームネットワークがホームネットワークにおけるＣＳドメインを用いることによって訪問先ネットワークと通信すると判断する場合、ＨＳＳによって、データ挿入要求メッセージをＶＭＳＣに送信するステップであって、データ挿入要求メッセージは、ＵＥがホームネットワークにおけるサービスに加入しているときに記憶される加入者情報を保有し、それによって、ＨＳＳは、加入者情報に従って訪問先ネットワークへのＵＥの登録を行うようにＶＭＳＣに命令する、ステップと、を含む。
【００３８】
第５の態様を参照して、第１の可能な実施方式では、ロケーション更新要求メッセージは、ビジターロケーションレジスタＶＬＲの番号を含み、ＨＳＳによって、ＵＥの識別子に従って、ホームネットワークがホームネットワークにおけるＣＳドメインを用いることによって訪問先ネットワークと通信するか否かを判断するステップは、ＨＳＳによって、訪問先ネットワークとホームネットワークとの間のローミング協定を、ＶＬＲの番号、及びＶＬＲの番号とローミング協定との間の対応関係に従って決定するステップと、ＨＳＳによって、訪問先ネットワークとホームネットワークとの間のローミング協定に従って、ホームネットワークがホームネットワークにおけるＣＳドメインを用いることによって訪問先ネットワークと通信すると判断するステップと、を含む。
【００３９】
第５の態様又は第５の態様の第１の可能な実施方式を参照して、第２の可能な実施方式では、加入者情報は遅延転送サービスを含む。
【００４０】
第５の態様又は上記の実施方式のうちのいずれかを参照して、第３の可能な実施方式では、本方法は、ＨＳＳによって、ホームネットワークにおけるアプリケーションサーバＡＳによって送信されたデータ更新要求メッセージを受信するステップであって、データ更新要求メッセージは、ＵＥが付加サービスを設定することを要求していることを示すために用いられる、ステップと、ＨＳＳが、ホームネットワークがホームネットワークにおけるＣＳドメインを用いることによって訪問先ネットワークと通信すると判断する場合、ＨＳＳによって、付加サービスをチェックするステップと、ＨＳＳによって、データ更新応答メッセージをＡＳに送信するステップであって、データ更新応答メッセージは、付加サービスの設定に成功したことの識別子又は付加サービスの設定に失敗したことの識別子を保有する、ステップと、を更に含む。
【００４１】
第６の態様によれば、ユーザサービス処理方法が提供され、ユーザ機器ＵＥのホームネットワークにおけるアプリケーションサーバＡＳによって、ＵＥによって送信された付加サービス設定要求メッセージを受信するステップであって、付加サービス設定要求メッセージは、ＵＥが付加サービスを設定することを要求していることを示すために用いられる、ステップと、ＡＳによって、ホームネットワークがホームネットワークにおける回線交換ＣＳドメインを用いることによってＵＥの訪問先ネットワークと通信するか否かを判断するステップと、ＡＳが、ホームネットワークがホームネットワークにおけるＣＳドメインを用いることによって訪問先ネットワークと通信すると判断する場合、ＡＳによって、付加サービスのチェックをスキップし、データ更新要求メッセージをホームネットワークにおけるホーム加入者サーバＨＳＳに送信するステップであって、それによってＨＳＳがデータ更新要求メッセージに従って付加サービスをチェックする、ステップと、を含む。
【００４２】
第６の態様を参照して、第１の可能な実施方式において、ＡＳによって、ホームネットワークがホームネットワークにおける回線交換ＣＳドメインを用いることによってＵＥの訪問先ネットワークと通信するか否かを判断するステップは、ＡＳによって、アクセスドメイン情報要求メッセージをＨＳＳに送信するステップであって、アクセスドメイン情報要求メッセージは、ＵＥの識別子を保有する、ステップと、ＡＳによって、ＨＳＳによって送信されたアクセスドメイン情報応答メッセージを受信するステップであって、アクセスドメイン情報応答メッセージはアクセスドメイン情報を保有し、アクセスドメイン情報は、ホームネットワークがホームネットワークにおける回線交換ＣＳドメインを用いることによって訪問先ネットワークと通信するか否かを示すために用いられる、ステップと、を含む。
【００４３】
第６の態様又は第６の態様の第１の可能な実施方式を参照して、第２の可能な実施方式では、データ更新要求メッセージがＨＳＳに送信された後、本方法は、ＡＳによって、ＨＳＳによって送信されたデータ更新応答メッセージを受信するステップであって、データ更新応答メッセージは、付加サービスの設定に成功したことの識別子又は付加サービスの設定に失敗したことの識別子を保有する、ステップと、ＡＳによって、付加サービス設定応答メッセージをＵＥに送信するステップであって、付加サービス設定応答メッセージは、付加サービスの設定に成功したことの識別子又は付加サービスの設定に失敗したことの識別子を保有する、ステップと、を更に含む。
【００４４】
本発明の実施形態において、呼制御デバイスは、呼ルーティングデバイスから、着呼側ＵＥの識別子を保有するアクセスドメイン確認要求メッセージを受信し、着呼側ＵＥの識別子に従って、着呼側ＵＥのホームネットワークがホームネットワークにおけるＣＳドメインを用いることによって着呼側ＵＥの訪問先ネットワークと通信すると判断する。したがって、呼制御デバイスは、ホームネットワークにおけるＣＳドメインを用いることによって呼を訪問先ネットワークにルーティングするように呼ルーティングデバイスに命令するための、命令情報を保有するアクセスドメイン確認応答メッセージを呼ルーティングデバイスに送信し、それによって、サービストリガーが、ＩＭＳドメインによって制御されるのではなくＣＳドメインによって制御されることが可能である。したがって、訪問先ネットワークは、サービス情報をホームネットワークにリアルタイムで返す必要がなく、それによって、着呼側ＵＥのサービスが正常にトリガーされることが可能であることが確実にされる。
【００４５】
本発明の実施形態における技術的解決策をより明確に説明するために、以下の記載は、実施形態を説明するのに必要とされる添付の図面を簡単に紹介する。明らかに、以下の説明における添付の図面は単に本発明の幾つかの実施形態を示し、当業者は創造的な取組みなしでこれらの添付の図面から他の図面を更に導出することができる。
【図面の簡単な説明】
【００４６】
【図１】本発明の一実施形態によるアプリケーションシナリオの概略図である。
【図２】本発明の一実施形態によるユーザサービス処理方法の概略ブロック図である。
【図３ａ】本発明の別の実施形態によるユーザサービス処理方法の概略フローチャートである。
【図３ｂ】本発明の別の実施形態によるユーザサービス処理方法の概略フローチャートである。
【図４】本発明の一実施形態によるユーザサービス処理方法のプロセスの概略フローチャートである。
【図５】方法の別の実施形態によるユーザサービス処理方法のプロセスの概略フローチャートである。
【図６】本発明の別の実施形態によるユーザサービス処理方法のプロセスの概略フローチャートである。
【図７】本発明の別の実施形態によるユーザサービス処理方法のプロセスの概略フローチャートである。
【図８】本発明の一実施形態による呼制御デバイスの概略ブロック図である。
【図９】本発明の一実施形態によるＨＳＳの概略ブロック図である。
【図１０】本発明の一実施形態によるＡＳの概略ブロック図である。
【図１１】本発明の別の実施形態による呼制御デバイスの概略ブロック図である。
【図１２】本発明の別の実施形態によるＨＳＳの概略ブロック図である。
【図１３】本発明の別の実施形態によるＡＳの概略ブロック図である。
【発明を実施するための形態】
【００４７】
以下の記載は、本発明の実施形態における添付の図面を参照して、本発明の実施形態における技術的解決策を明確に説明する。明らかに、説明される実施形態は、本発明の実施形態のうちの幾つかにすぎず、全てではない。本発明の実施形態に基づいて当業者によって創造的な取組みなしで得られる全ての他の実施形態は、本発明の保護範囲内にあるものとする。
【００４８】
本発明の技術的解決策を、モバイル通信のためのグローバルシステム（Ｇｌｏｂａｌ  Ｓｙｓｔｅｍ  ｆｏｒ  Ｍｏｂｉｌｅ  ｃｏｍｍｕｎｉｃａｔｉｏｎ，ＧＳＭ）ネットワーク、符号分割多元接続（Ｃｏｄｅ  Ｄｉｖｉｓｉｏｎ  Ｍｕｌｔｉｐｌｅ  Ａｃｃｅｓｓ，ＣＤＭＡ）ネットワーク、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，ＷＣＤＭＡ）ネットワーク、汎用パケット無線サービス（Ｇｅｎｅｒａｌ  Ｐａｃｋｅｔ  Ｒａｄｉｏ  Ｓｅｒｖｉｃｅ，ＧＰＲＳ）ネットワーク、ロングタームエボリューション（Ｌｏｎｇ  Ｔｅｒｍ  Ｅｖｏｌｕｔｉｏｎ，ＬＴＥ）ネットワーク及びユニバーサルモバイル電気通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ，ＵＭＴＳ）ネットワーク等の様々な通信ネットワークに適用することができる。
【００４９】
本発明の実施形態において、ＵＥは、ＣＳドメインを用いることによってＩＭＳドメインにアクセスすることができ、ユーザ機器は、携帯電話（又は「セルラ」電話と呼ばれる）等のモバイル端末（Ｍｏｂｉｌｅ  Ｔｅｒｍｉｎａｌ，ＭＴ）、又はモバイル端末を有するコンピュータとすることができる。限定ではなく例として、ＵＥは、ポータブルの、ポケットサイズの、ハンドヘルドの、コンピュータ内蔵の、又は車両に搭載されたモバイル装置とすることができる。ＵＥは、無線アクセスネットワークと音声又はデータを交換することもできるし、又は無線アクセスネットワークと音声及びデータを交換することもできる。
【００５０】
図１は、本発明の一実施形態によるアプリケーションシナリオの概略図である。
【００５１】
図１に示すように、ＵＥのホームネットワークは、ＩＭＳドメイン１１０及びＣＳドメイン１２０を含む。ＣＳドメイン１２０は、ＩＭＳドメイン１１０のアクセスドメインとして用いることができ、ＵＥの全てのサービスは、ＩＭＳドメイン１１０によって制御することができる。ＣＳドメイン１２０は、ゲートウェイ移動通信交換局（Ｇａｔｅｗａｙ  Ｍｏｂｉｌｅ  Ｓｗｉｔｃｈｉｎｇ  Ｃｅｎｔｅｒ，ＧＭＳＣ）１２１及びＨＳＳ１２２を含むことができ、ＧＭＳＣ１２１はＵＥの呼をルーティングすることができ、ＨＳＳ１２２はホームネットワークにおけるＵＥの加入情報を記憶することができる。ＩＭＳドメイン１１０はＡＳ１１１と、呼セッション制御機能（Ｃａｌｌ  Ｓｅｓｓｉｏｎ  Ｃｏｎｔｒｏｌ  Ｆｕｎｃｔｉｏｎ，ＣＳＣＦ）デバイス１１２と、メディアゲートウェイ制御機能（Ｍｅｄｉａ  Ｇａｔｅｗａｙ  Ｃｏｎｔｒｏｌ  Ｆｕｎｃｔｉｏｎ，ＭＧＣＦ）デバイス１１３とを備えることができる。ＡＳ１１１は、ＩＭＳドメイン１１０においてサービスを制御及び提供するネットワーク要素である。ＣＳＣＦデバイス１１２は呼セッションを制御することができる。ＣＳドメイン１２０及びＩＭＳドメイン１１０は、ＭＧＣＦデバイス１１３を用いることによって互いに連携して動作することができる。
【００５２】
ＵＥが訪問先ネットワークにローミングした後、訪問先ネットワークはＩＭＳドメインを含むこともできるし、又はＩＭＳドメイン及びＣＳドメインを含むこともできるし、ＣＳドメインを含むこともできる。図１において、訪問先ネットワークがＣＳドメイン１３０しか含まない例が説明のために用いられる。図１に示すように、訪問先ネットワークにおけるＣＳドメイン１３０は、訪問先移動通信交換局（Ｖｉｓｉｔｅｄ  Ｍｏｂｉｌｅ  Ｓｗｉｔｃｈｉｎｇ  Ｃｅｒｎｔｅｒ，ＶＭＳＣ）１３１を含む。ＶＭＳＣ１３１は呼をルーティングすることができる。
【００５３】
図１に示すシナリオにおいて、訪問先ネットワークは、ＣＳドメイン１３０のみを含む。したがって、ホームネットワークは、ホームネットワークにおけるＣＳドメイン１２０を用いることによって訪問先ネットワークと通信することができ、すなわち、ホームネットワークと訪問先ネットワークとの間でＣＳドメインローミングが可能にされる。この場合、ホームネットワークにおけるＩＭＳドメイン１１０がＵＥのサービスを依然として制御している場合、ＵＥの訪問先ネットワークは、ホームネットワークにおけるＩＭＳドメイン１１０にリアルタイムで、トリガーされる必要があるサービスに関する情報を返す必要があり、それによって、ホームネットワークにおけるＩＭＳドメイン１１０は、返された情報に従って対応するサービスをトリガーする。一方、訪問先ネットワークのＣＳドメイン１３０と、ホームネットワークにおけるＩＭＳドメイン１１０との間に幾つかの差異が存在し、例えば、タイマーの持続時間が不一致であるか、又はシグナリングメカニズムが異なる。この場合、ＵＥが着呼側ＵＥとして用いられる場合、トリガーされる必要がある多くのサービスは、正常にトリガーすることができない。
【００５４】
したがって、本発明のこの実施形態において、別のＵＥがＵＥへの呼を開始するとき、ホームネットワークは、ホームネットワークにおけるＣＳドメイン１２０を用いることによって、呼を訪問先ネットワークにルーティングすることができる。以下の記載は、プロセスを詳細に説明する。
【００５５】
図２は、本発明の一実施形態によるユーザサービス処理方法の概略ブロック図である。図２における方法は、呼制御デバイスによって実行される。
【００５６】
２１０。呼が着呼側ＵＥに対し開始されているとき、着呼側ＵＥのホームネットワークにおける呼制御デバイスは、着呼側ＵＥのホームネットワークにおける呼ルーティングデバイスによって送信されたアクセスドメイン確認要求メッセージを受信する。ここで、アクセスドメイン確認要求メッセージは、着呼側ＵＥの識別子を保有する。
【００５７】
２２０。呼制御デバイスは、着呼側ＵＥの識別子に従って、ホームネットワークにおけるＣＳドメインを用いることによって、ホームネットワークが着呼側ＵＥの訪問先ネットワークと通信すると判断する。
【００５８】
２３０。呼制御デバイスは、アクセスドメイン確認応答メッセージを呼ルーティングデバイスに送信する。ここで、アクセスドメイン確認応答メッセージは命令情報を保有し、命令情報は、ホームネットワークにおけるＣＳドメインを用いることによって呼を訪問先ネットワークにルーティングするように呼ルーティングデバイスに命令するために用いられる。
【００５９】
着呼側の相手をアンカリングするための現在の解決策において、発呼側ＵＥが着呼側ＵＥへの呼を開始する場合、呼が、着呼側ＵＥのホームネットワークにおけるＩＭＳドメインに戻してアンカリングされる必要があり、呼は、ＩＭＳドメインを用いることによって着呼側ＵＥに接続される。すなわち、着呼側ＵＥの全てのサービスは、ＩＭＳドメインによって制御及び提供される。一方、着呼側ＵＥがローミングするとき、例えば、着呼側ＵＥが自国から外国にローミングした後、着呼側ＵＥは訪問先ネットワークに位置し、訪問先ネットワークとホームネットワークとの差異により、ホームネットワークにおけるＩＭＳドメインが、失敗原因値がＩＭＳドメインに返される必要があるときにのみトリガーされることが可能であるサービス等の幾つかのサービスを正常にトリガーすることができなくなる場合がある。例えば、遅延転送サービスについて、ＩＭＳドメインは、着呼側ＵＥのホームネットワークにおけるＩＭＳドメインに失敗原因値を返す必要があるときにのみ、着呼側ＵＥのための遅延転送サービスをトリガーすることができる。一方、訪問先ネットワークとホームネットワークとの間のタイマーの持続時間の差異又はシグナリングメカニズムの差異等の問題に起因して、訪問先ネットワークが失敗原因値をホームネットワークにおけるＩＭＳドメインに返すことは非常に困難である。したがって、遅延転送サービスは、正常にトリガーされることが可能でない。遅延転送サービスとは、着呼側ＵＥからの応答がないときにトリガーされる転送サービス又は着呼側ＵＥがビジーであるときにトリガーされる転送サービス等の、呼が訪問先ネットワークにルーティングされた後にトリガーされる転送サービスを指す。
【００６０】
本発明のこの実施形態において、発呼側ＵＥは、着呼側ＵＥへの呼を開始する。発呼側ＵＥが着呼側ＵＥへの呼を開始するとき、呼制御デバイスは、ホームネットワークにおけるＣＳドメインを用いることによって、着呼側ＵＥのホームネットワークが着呼側ＵＥの訪問先ネットワークと通信するか否かを判断することができる。ホームネットワークがホームネットワークにおけるＣＳドメインを用いることによって訪問先ネットワークと通信することは、ホームネットワークと訪問先ネットワークとの間のＣＳドメインローミングが可能にされていること、すなわち、ホームネットワークと訪問先ネットワークとの間でＣＳドメインローミング協定が署名済みであることを示す。ホームネットワークがホームネットワークにおけるＣＳドメインを用いることによって訪問先ネットワークと通信すると判断される場合、呼制御デバイスは、呼ルーティングデバイスに、ホームネットワークにおけるＣＳドメインを用いることによって、発呼側ＵＥによって開始された呼を訪問先ネットワークにルーティングするように命令し、それによって訪問先ネットワークが呼を着呼側ＵＥにルーティングする。換言すれば、着呼側ＵＥのホームネットワークがホームネットワークにおけるＣＳドメインを用いることによって訪問先ネットワークと通信する場合、呼は、ホームネットワークにおけるＩＭＳドメインを用いることによって着呼側ＵＥにルーティングされるのではなく、ホームネットワークにおけるＣＳドメインを用いることによって着呼側ＵＥにルーティングされることが可能である。ホームネットワークにおけるＣＳドメインを用いることによって呼が着呼側ＵＥにルーティングされた後、訪問先ネットワークにおけるＣＳドメインは、着呼側ＵＥのサービスをトリガーし提供することができる。この場合、訪問先ネットワークは、サービス情報をホームネットワークにリアルタイムで返す必要がなく、したがって、着呼側ＵＥのサービスが正常にトリガーされることが可能であることが確実にされる。例えば、遅延転送サービスについて、訪問先ネットワークは、失敗原因値をホームネットワークに返す必要なく、失敗原因値に従ってトリガーを直接行うことができ、したがって、遅延転送サービスが正常にトリガーされることが可能であることが確実にされる。
【００６１】
本発明のこの実施形態において、呼制御デバイスは、呼ルーティングデバイスから、着呼側ＵＥの識別子を保有するアクセスドメイン確認要求メッセージを受信し、着呼側ＵＥの識別子に従って、着呼側ＵＥのホームネットワークがホームネットワークにおけるＣＳドメインを用いることによって着呼側ＵＥの訪問先ネットワークと通信すると判断する。したがって、呼制御デバイスは、ホームネットワークにおけるＣＳドメインを用いることによって呼を訪問先ネットワークにルーティングするように呼ルーティングデバイスに命令するための、命令情報を保有するアクセスドメイン確認応答メッセージを呼ルーティングデバイスに送信し、それによって、サービストリガーが、ＩＭＳドメインによって制御されるのではなく、ＣＳドメインによって制御されることが可能になる。したがって、訪問先ネットワークは、サービス情報をホームネットワークにリアルタイムで返す必要がなく、着呼側ＵＥのサービスが正常にトリガーされることが可能であることが確実にされる。
【００６２】
また、上記から、ＩＭＳドメインが現在初期開発段階にあり、広く展開されていないことがわかる。この場合、ＩＭＳドメインは訪問先ネットワークにおいて展開されていない場合があり、ホームネットワークは、ホームネットワークにおけるＣＳドメインを用いることによってのみ訪問先ネットワークと通信することができるが、ホームネットワークにおけるＩＭＳドメインを用いることによって訪問先ネットワークと通信することはできない。このシナリオの場合、本発明のこの実施形態が、より適用可能である。このシナリオでは、訪問先ネットワークにおけるＣＳドメインが、サービス情報をホームネットワークにおけるＩＭＳドメインにリアルタイムで返すことを必要とされている場合、２つのネットワーク間のタイマー同期及びシグナリングフォーマット変換等の問題があるため、訪問先ネットワークにおけるＣＳドメインがホームネットワークにおけるＩＭＳドメインにサービス情報をリアルタイムで返すことは困難である。一方、本発明の実施形態によれば、サービストリガーは、ＩＭＳドメインによって制御されるのではなく、ＣＳドメインによって制御されることが可能である。したがって、訪問先ネットワークは、サービス情報をホームネットワークにリアルタイムで返す必要がなく、着呼側ＵＥのサービスが正常にトリガーされることが可能であることが確実にされる。
【００６３】
本発明のこの実施形態では、着呼側ＵＥへの呼を開始する発呼側ＵＥは、ＣＳドメインに位置する場合もあるし、又はＩＭＳドメインに位置する場合もある。発呼側ＵＥがＣＳドメインに位置する場合、呼制御デバイスは、着呼側ＵＥのホームネットワークにおけるＨＳＳとすることができる。発呼側ＵＥがＩＭＳドメインに位置するとき、呼制御デバイスは、着呼側ＵＥのホームネットワークにおけるＡＳとすることができる。
【００６４】
オプションで、一実施形態では、上記の呼制御デバイスはＨＳＳとすることができる。上記の呼ルーティングデバイスはＧＭＳＣとすることができる。
【００６５】
本発明のこの実施形態では、ＨＳＳは、ＩＭＳドメインにおけるＨＳＳ、システムアーキテクチャエボリューション（Ｓｙｓｔｅｍ  Ａｒｃｈｉｔｅｃｔｕｒｅ  Ｅｖｏｌｕｔｉｏｎ，ＳＡＥ）ネットワークにおけるＨＳＳ、及びホームロケーションレジスタ（Ｈｏｍｅ  Ｌｏｃａｔｉｏｎ  Ｒｅｇｉｓｔｅｒ，ＨＬＲ）の機能を統合するデバイスとすることができる。したがって、本発明のこの実施形態におけるＨＳＳを、収束したＨＳＳと呼ぶことができる。
【００６６】
オプションで、別の実施形態では、ステップ２１０において、ＨＳＳは、ＧＭＳＣによって送信されたアクセスドメイン確認要求メッセージを受信することができる。ステップ２３０において、ＨＳＳは、アクセスドメイン確認応答メッセージをＧＭＳＣに送信することができ、ここで、アクセスドメイン確認応答メッセージは、終端のモバイルネットワークエンハンストロジックのためのカスタマイズアプリケーションの加入情報（Ｔｅｒｍｉｎａｔｉｎｇ  ＣＡＭＥＬ（Ｃｕｓｔｏｍｉｚｅｄ  Ａｐｐｌｉｃａｔｉｏｎｓ  ｆｏｒ  Ｍｏｂｉｌｅ  ｎｅｔｗｏｒｋ  Ｅｎｈａｎｃｅｄ  Ｌｏｇｉｃ，モバイルネットワークエンハンストロジックのためのカスタマイズアプリケーション）Ｓｕｂｓｃｒｉｐｔｉｏｎ  Ｉｎｆｏｒｍａｔｉｏｎ，Ｔ＿ＣＳＩ）を含むことができる。Ｔ＿ＣＳＩを用いて、訪問先ネットワークへの呼をローミングするためのローミング番号を、ＣＳドメインを用いることによって取得するように命令することができる。
【００６７】
この実施形態において、ステップ２３０における命令情報は、Ｔ＿ＣＳＩとすることができる。特に、ＧＭＳＣが到来する初期アドレスメッセージ（Ｉｎｉｔｉａｌ  Ａｄｄｒｅｓｓ  Ｍｅｓｓａｇｅ，ＩＡＭ）を受信した後、ＧＭＳＣは、ＩＡＭに従ってアクセスドメイン確認要求メッセージをＨＳＳに送信することができる。ＩＡＭを用いて、発呼側ＵＥが着呼側ＵＥへの呼を開始することを示すことができる。ＩＡＭは、発呼側ＵＥと着呼側ＵＥとの間の呼を確立するための第１のメッセージであり、呼ルーティング判断の関連情報を含むことができる。ＧＭＳＣによってＨＳＳに送信されるアクセスドメイン確認要求メッセージは、ルーティング情報送信（Ｓｅｎｄ  Ｒｏｕｔｉｎｇ  Ｉｎｆｏｒｍａｔｉｏｎ，ＳＲＩ）要求メッセージとすることができる。ＨＳＳによってＧＭＳＣに返されるアクセスドメイン確認応答メッセージは、ＳＲＩ＿ＡＣＫメッセージとすることができ、ＳＲＩ＿ＡＣＫメッセージは、着呼側ＵＥのＴ＿ＣＳＩを含むことができる。この実施形態において、本明細書では、ＳＲＩ要求メッセージは第１のＳＲＩ要求メッセージと呼ばれ、本明細書において、ＳＲＩ＿ＡＣＫメッセージは第１のＳＲＩ＿ＡＣＫメッセージと呼ばれる。着呼側ＵＥは訪問先ネットワークに位置し、ホームネットワークは、ホームネットワークにおけるＣＳドメインを用いることによって訪問先ネットワークと通信する。したがって、Ｔ＿ＣＳＩは、ＣＳドメインを用いることによってローミング番号を取得するように命令するために用いられることが可能である。ここで、ローミング番号は、呼を訪問先ネットワークにルーティングするために用いられる。本明細書において、Ｔ＿ＣＳＩは着呼側ＵＥのホームネットワークにおけるＩＭＳドメイン内のＡＳをポインティングせず、この場合、ＧＭＳＣは呼をＩＭＳドメインにルーティングしないことがわかる。特に、ＧＭＳＣは、Ｔ＿ＣＳＩに従ってルーティング情報送信手順をトリガーすることができる。この手順は以下とすることができる。ＧＭＳＣがＨＳＳに第２のＳＲＩ要求メッセージを送信することができ、ここで、第２のＳＲＩ要求メッセージは、ローミング番号を要求するために用いられる。ＨＳＳは、第２のＳＲＩ要求メッセージに従ってローミング番号提供（Ｐｒｏｖｉｄｅ  Ｒｏａｍｉｎｇ  Ｎｕｍｂｅｒ，ＰＲＮ）メッセージをＶＭＳＣに送信することができる。ＶＭＳＣは、ＰＲＮメッセージに従ってＰＲＮ応答（ＰＲＮ＿ＡＣＫ）メッセージをＨＳＳに送信することができる。ここで、ＰＲＮ＿ＡＣＫメッセージはローミング番号を保有することができる。ＨＳＳは、第２のＳＲＩ＿ＡＣＫメッセージをＧＭＳＣに送信することができる。ここで、第２のＳＲＩ＿ＡＣＫメッセージは、ローミング番号を保有することができる。この場合、ＧＭＳＣは、ローミング番号に従って呼をＶＭＳＣにルーティングすることができ、ＶＭＳＣは呼を着呼側ＵＥにルーティングすることができる。
【００６８】
着呼側ＵＥが訪問先ネットワークにローミングした後、着呼側ＵＥの正常な通信を確保するために、着呼側ＵＥは、まず、訪問先ネットワークに登録される必要があり、すなわち、ロケーション更新を行う必要がある。オプションで、別の実施形態では、ステップ２１０の前に、ＨＳＳは、訪問先ネットワークにおけるＶＭＳＣによって送信されるロケーション更新要求メッセージを受信することができる。ここで、ロケーション更新要求メッセージは、着呼側ＵＥの識別子を保有する。ホームネットワークにおけるＣＳドメインを用いることによってホームネットワークが訪問先ネットワークと通信する場合、ＨＳＳは、着呼側ＵＥの識別子に従ってデータ挿入要求メッセージをＶＭＳＣに送信することができる。ここで、データ挿入要求メッセージは、着呼側ＵＥがホームネットワークにおけるサービスに加入しているときに記憶される加入者情報を保有し、それによって、ＶＭＳＣに、加入者情報に従って訪問先ネットワークへの着呼側ＵＥの登録を行うように命令する。
【００６９】
特に、上記の加入者情報は、着呼側ＵＥがホームネットワークにおいて加入しているサービスに関する情報を含むことができる。加入者情報は、着呼側ＵＥの識別子等の情報を更に含むことができる。着呼側ＵＥがロケーション更新要求を開始するとき、着呼側ＵＥは訪問先ネットワークに位置し、ホームネットワークは、ホームネットワークにおけるＣＳドメインを用いることによって訪問先ネットワークと通信するので、ＨＳＳは、ＶＭＳＣに、着呼側ＵＥがホームネットワークにおいて加入しているサービスに関する情報を送信することができ、ＶＭＳＣは、着呼側ＵＥのサービスのトリガーを制御する。この場合、着呼側ＵＥのサービスが正常にトリガーされることが可能であることが確実にされる。
【００７０】
オプションで、別の実施形態では、上記の加入者情報は、遅延転送サービスに関する情報を含むことができる。この場合、着呼側ＵＥの遅延転送サービスは、ＶＭＳＣによってトリガーすることができる。更に、ＨＳＳによってＶＭＳＣに送信される加入者情報は、失敗原因値に従ってトリガーされる必要があるサービスに関する情報等の、遅延転送サービスに類似したサービスに関する他の情報とすることができる。
【００７１】
オプションで、別の実施形態では、ロケーション更新要求メッセージは、ビジターロケーションレジスタ（Ｖｉｓｉｔｏｒ  Ｌｏｃａｔｉｏｎ  Ｒｅｇｉｓｔｅｒ，ＶＬＲ）の番号（Ｎｕｍｂｅｒ）を含むことができる。ＨＳＳは、訪問先ネットワークとホームネットワークとの間のローミング協定を、ＶＬＲの番号、及びＶＬＲの番号とローミング協定との間の対応関係に従って決定することができる。ＨＳＳは、訪問先ネットワークとホームネットワークとの間のローミング協定に従って、ホームネットワークがホームネットワークにおけるＣＳドメインを用いることによって訪問先ネットワークと通信すると判断することができる。
【００７２】
特に、ＶＬＲの番号は、ＶＬＲを特定することができる。ＶＬＲは、ＶＭＳＣに配置されることが可能であり、通常、ＶＬＲの番号はＶＭＳＣの番号と同じである。ＶＬＲの番号とローミング協定との間の対応関係は、ＨＳＳに事前に記憶されることが可能である。この場合、ＶＬＲの番号が取得された後、訪問先ネットワークとホームネットワークとの間のローミング協定が判断されることが可能である。ローミング協定は、訪問先ネットワークとホームネットワークとの間で有効にされるローミングの方式を指すことができる。ローミングの方式は、ホームネットワークがホームネットワークにおけるＣＳドメイン又はＩＭＳドメインを用いることによって訪問先ネットワークと通信することを意味することができる。この場合、ＨＳＳは、訪問先ネットワークとホームネットワークとの間のローミング協定に従って、ホームネットワークがホームネットワークにおけるＣＳドメインを用いることによって訪問先ネットワークと通信すると判断することができる。
【００７３】
更に、ＨＳＳは、ＶＬＲの番号を記憶することができる。ステップ２２０において、ＨＳＳは、着呼側ＵＥの識別子に従ってＶＬＲの番号を取得することができ、訪問先ネットワークとホームネットワークとの間のローミング協定を、ローミング協定と、ＨＳＳに記憶されたＶＬＲの番号との間の対応関係に従って決定することができる。ＨＳＳは、訪問先ネットワークとホームネットワークとの間のローミング協定に従って、ホームネットワークが、ホームネットワークにおけるＣＳドメインを用いることによって訪問先ネットワークと通信すると判断することができる。
【００７４】
更に、ＡＳがＨＳＳにアクセスドメイン情報を要求するとき、ＨＳＳは、記憶されたＶＬＲの番号に従ってアクセスドメイン情報を決定することができる。ここで、アクセスドメイン情報は、ホームネットワークがホームネットワークにおけるＣＳドメインを用いることによって訪問先ネットワークと通信することを示すために用いられることが可能である。次に、ＨＳＳはアクセスドメイン情報をＡＳに送信することができる。
【００７５】
オプションで、別の実施形態において、ＨＳＳは、ホームネットワークにおけるＡＳからアクセスドメイン情報要求メッセージを更に受信することができる。ここで、アクセスドメイン情報要求メッセージは、アクセスドメイン情報を要求するために用いられる。ＨＳＳは、アクセスドメイン情報要求メッセージに従ってアクセスドメイン情報応答メッセージをＡＳに送信することができる。ここで、アクセスドメイン情報応答メッセージはアクセスドメイン情報を保有することができ、アクセスドメイン情報は、ホームネットワークがホームネットワークにおけるＣＳドメインを用いることによって訪問先ネットワークと通信することを示すために用いられることが可能である。
【００７６】
オプションで、別の実施形態では、ＨＳＳは、ホームネットワークにおけるＡＳによって送信されたデータ更新要求メッセージを更に受信することができる。ここで、データ更新要求メッセージは、着呼側ＵＥが付加サービスを設定することを要求していることを示すために用いられる。ＨＳＳは、ホームネットワークがホームネットワークにおけるＣＳドメインを用いることによって訪問先ネットワークと通信する場合、付加サービスをチェックすることができる。ＨＳＳは、データ更新応答メッセージをＡＳに送信することができ、ここで、データ更新応答メッセージは、付加サービスの設定に成功したことの識別子又は付加サービスの設定に失敗したことの識別子を保有する。
【００７７】
ユーザのためにより豊富なサービスを提供し、ユーザエクスペリエンスを向上させるために、ライブネットワークが、ユーザが実際の要件に従ってＵＥに対する幾つかの付加サービスを設定することをサポートすることができる。現在のところ、ＣＳドメインでは、構造化されていない付加サービスデータ（Ｕｎｓｔｒｕｃｔｕｒｅｄ  Ｓｕｐｐｌｅｍｅｎｔａｒｙ  Ｓｅｒｖｉｃｅ  Ｄａｔａ，ＵＳＳＤ）方式で付加サービスがＵＥに対し設定されることが可能である。ＩＭＳドメインでは、付加サービスは、Ｕｔインタフェースを用いることによってＵＥに対し設定されることが可能である。ＵＥが訪問先ネットワークに位置し、ＵＥのホームネットワークがホームネットワークにおけるＣＳドメインを用いることによって訪問先ネットワークと通信するとき、付加サービスがＵＳＳＤ方式でＵＥに対し設定される場合もあるし、又は付加サービスがＵｔインタフェースを用いることによってＵＥに対し設定される場合もある。ＣＳドメイン内の付加サービスのチェック基準は、ＩＭＳドメインにおける付加サービスのチェック基準と異なる。したがって、サービスは、２つの異なるチェック基準を用いることによってチェックされる場合があり、これは不整合なサービス設定を生じさせる。
【００７８】
したがって、Ｕｔインタフェースを用いることによって着呼側ＵＥによって送信された付加サービス設定要求メッセージを受信した後、ＡＳは付加サービスをチェックせず、データ更新要求メッセージをＨＳＳに送信し、ＨＳＳは、データ更新要求メッセージに従って付加サービスをチェックし、それによって、付加サービスの異なるチェック基準によって生じるサービス不整合性が回避されることが可能である。
【００７９】
上記は、発呼側ＵＥがＣＳドメイン内に位置するときに、ＨＳＳによって図２の方法を実行するプロセスを説明している。以下の記載は、発呼側ＵＥがＩＭＳドメイン内に位置するときの特殊なプロセスを説明する。
【００８０】
オプションで、別の実施形態では、上記の呼制御デバイスはＡＳとすることができ、呼ルーティングデバイスは、呼セッション制御機能（Ｃａｌｌ  Ｓｅｓｓｉｏｎ  Ｃｏｎｔｒｏｌ  Ｆｕｎｃｔｉｏｎ，ＣＳＣＦ）デバイスとすることができる。
【００８１】
発呼側ＵＥがＩＭＳドメイン内に位置するとき、発呼側ＵＥは、着呼側ＵＥへの呼をＩＭＳドメインから開始する。この場合、着呼側ＵＥのホームネットワークにおけるＩＭＳドメイン内の対応するデバイスが処理を行う必要がある。ＡＳは、ＩＭＳドメイン内のサービスを制御及び提供するネットワーク要素である。
【００８２】
オプションで、別の実施形態では、ステップ２１０において、ＡＳはＣＳＣＦデバイスによって送信されたアクセスドメイン確認要求メッセージを受信することができる。ステップ２３０において、ＡＳはアクセスドメイン確認応答メッセージをＣＳＣＦデバイスに送信することができ、ここで、応答メッセージは特殊な番号を含むことができ、特殊な番号は、ＣＳＣＦデバイスに、ホームネットワークにおけるＣＳドメインを用いることによって呼を訪問先ネットワークにルーティングするように命令するために用いられる。
【００８３】
この実施形態において、ステップ２３０における命令情報は、特殊な番号とすることができる。特に、ＩＭＳドメイン内の発呼側ＵＥによって開始されるセッション要求メッセージを受信した後、ＣＳＣＦデバイスは、セッション要求メッセージに従って、アクセスドメイン確認要求メッセージをＡＳに送信することができ、ここで、アクセスドメイン確認要求メッセージは、被呼番号等の着呼側ＵＥの識別子を保有することができる。着呼側ＵＥは訪問先ネットワークに位置し、ホームネットワークは、ホームネットワークにおけるＣＳドメインを用いることによって訪問先ネットワークと通信する。したがって、ＡＳはサービストリガーを実行することができず、特殊な番号を含むアクセスドメイン確認応答メッセージをＣＳＣＦデバイスに送信し、それによってＣＳドメインがサービストリガーを制御する。特殊な番号は、被呼番号の前に加えられるプレフィックス番号とすることができ、ＣＳＣＦデバイスは、この特殊な番号に従って、呼をメディアゲートウェイ制御機能（Ｍｅｄｉａ  Ｇａｔｅｗａｙ  Ｃｏｎｔｒｏｌ  Ｆｕｎｃｔｉｏｎ，ＭＧＣＦ）デバイスにルーティングすることができる。ＭＧＣＦデバイスは、ＩＭＳドメインとＣＳドメインとの間の連携動作を実施するネットワーク要素である。次に、ＭＧＣＦデバイスは、呼をＧＭＳＣにルーティングすることができ、次に、ＧＭＳＣはルーティング情報送信手順をトリガーする。この手順については、上記で説明したＧＭＳＣによってトリガーされるルーティング情報送信手順を参照し、詳細は繰り返し説明されない。ルーティング情報送信手順を実行することによって、ＧＭＳＣはローミング番号を取得することができ、次に、このローミング番号に従って呼をＶＭＳＣにルーティングすることができ、それによって、ＶＭＳＣは呼を着呼側ＵＥにルーティングする。
【００８４】
オプションで、別の実施形態では、ステップ２２０において、ＡＳはアクセスドメイン情報要求メッセージをＨＳＳに送信することができる。ここで、アクセスドメイン情報要求メッセージは、アクセスドメイン情報を要求するために用いられる。ＡＳは、ＨＳＳからアクセスドメイン応答メッセージを受信することができる。ここで、アクセスドメイン情報応答メッセージはアクセスドメイン情報を保有し、アクセスドメイン情報は、ホームネットワークがホームネットワークにおけるＣＳドメインを用いることによって訪問先ネットワークと通信することを示すために用いられる。
【００８５】
ユーザのためにより豊富なサービスを提供し、ユーザエクスペリエンスを向上させるために、ライブネットワークが、ユーザが実際の要件に従ってＵＥに対する幾つかの付加サービスを設定することをサポートすることができる。現在のところ、ＣＳドメインでは、ＵＳＳＤ方式で付加サービスがＵＥに対し設定されることが可能である。ＩＭＳドメインでは、付加サービスは、Ｕｔインタフェースを用いることによってＵＥに対し設定されることが可能である。ＵＥが訪問先ネットワークに位置し、ＵＥのホームネットワークがホームネットワークにおけるＣＳドメインを用いることによって訪問先ネットワークと通信するとき、付加サービスがＵＳＳＤ方式でＵＥに対し設定される場合もあるし、又は付加サービスがＵｔインタフェースを用いることによってＵＥに対し設定される場合もある。ＣＳドメイン内の付加サービスのチェック基準は、ＩＭＳドメインにおける付加サービスのチェック基準と異なる。したがって、サービスは、２つの異なるチェック基準を用いることによってチェックされる場合があり、これは不整合なサービス設定を生じさせる。
【００８６】
オプションで、別の実施形態では、ＡＳは、着呼側ＵＥによって送信された付加サービス設定要求メッセージを受信することができ、ここで、付加サービス設定要求メッセージは、着呼側ＵＥが付加サービスを設定することを要求していることを示すために用いられる。ホームネットワークがホームネットワークにおけるＣＳドメインを用いることによって訪問先ネットワークと通信する場合、ＡＳはデータ更新要求メッセージをＨＳＳに送信することができ、ここで、データ更新要求メッセージは、着呼側ＵＥが付加サービスを設定することを要求していることを示すために用いられる。ＡＳは、ＨＳＳによって送信されたデータ更新応答メッセージを受信することができ、ここで、データ更新応答メッセージは、付加サービスの設定に成功したことの識別子又は付加サービスの設定に失敗したことの識別子を保有する。ＡＳは、付加サービス設定応答メッセージを着呼側ＵＥに送信することができる。ここで、付加サービス設定応答メッセージは、付加サービスの設定に成功したことの識別子又は付加サービスの設定に失敗したことの識別子を保有する。
【００８７】
特に、着呼側ＵＥは、訪問先ネットワークに位置し、ホームネットワークは、ホームネットワークにおけるＣＳドメインを用いることによって訪問先ネットワークと通信する。したがって、Ｕｔインタフェースを用いることによって着呼側ＵＥによって送信された付加サービス設定要求メッセージを受信した後、ＡＳは付加サービスをチェックすることができず、データ更新要求メッセージをＨＳＳに送信する。この場合、ＨＳＳは、データ更新要求メッセージに従って付加サービスをチェックする。データ更新要求メッセージは、着呼側ＵＥに対し設定された付加サービスに関する情報を保有することができる。
【００８８】
ＨＳＳが付加サービスをチェックした後、付加サービスが有効である場合、ＨＳＳは、付加サービスに関する情報を記憶することができ、データ更新応答メッセージをＡＳに送信することができる。ここで、データ更新応答メッセージは、付加サービスの設定に成功したことの識別子を保有することができる。付加サービスの設定に成功したことの識別子は、付加サービスの設定が成功したことを示すことができる。付加サービスが無効である場合、ＨＳＳは、付加サービスに関する関連情報を記憶せず、データ更新応答メッセージをＡＳに送信する。ここで、データ更新応答メッセージは、付加サービスの設定に失敗したことの識別子を保有することができる。付加サービスの設定に失敗したことの識別子は、付加サービスの設定が失敗したことを示すことができる。ＡＳは、ＨＳＳのデータ更新応答メッセージに従って付加サービス設定応答メッセージをＵＥに送信することができる。データ更新応答メッセージが付加サービスの設定に成功したことの識別子を保有する場合、付加サービス設定応答メッセージも、付加サービスの設定に成功したことの識別子を保有し、データ更新応答メッセージが付加サービスの設定に失敗したことの識別子を保有する場合、付加サービス設定応答メッセージも、付加サービスの設定に失敗したことの識別子を保有する。この実施形態では、ＡＳは、着呼側ＵＥが設定を要求する付加サービスに対するサービスチェックを行わず、ＨＳＳがチェックを行い、このことは、付加サービスが２つのチェック基準を用いることによってチェックされることを回避することができ、それによって、付加サービスの不整合性が回避されることが可能である。
【００８９】
上記は、着呼側ＵＥの呼サービスの処理プロセスを説明している。以下の記載は、ＵＥのロケーション更新プロセスを説明する。
【００９０】
既存の解決策では、ＵＥが訪問先ネットワークにおいてロケーション更新を開始するとき、全てのサービスがＵＥのホームネットワークにおけるＩＭＳドメインによって制御及び提供される場合、ＩＭＳドメインは、ＵＥがホームネットワークにおいて加入している、遅延転送サービス等のサービスに関する情報を訪問先ネットワークに送信する必要がない。一方、上記で説明されたように、ＵＥは訪問先ネットワークにローミングするので、ＵＥのホームネットワークにおけるＩＭＳドメインによって全てのサービスが依然として制御及び提供される場合、ＵＥのサービスは正常にトリガーされることが可能でない。
【００９１】
図３ａは、本発明の別の実施形態によるユーザサービス処理方法の概略フローチャートである。
【００９２】
３１０ａ。ＵＥのホームネットワークにおけるＨＳＳが、ＵＥの訪問先ネットワークにおけるＶＭＳＣによって送信されるロケーション更新要求メッセージを受信する。ここで、ロケーション更新要求メッセージはＵＥの識別子を保有する。
【００９３】
３２０ａ。ＨＳＳは、ＵＥの識別子に従って、ホームネットワークがホームネットワークにおけるＣＳドメインを用いることによって訪問先ネットワークと通信するか否かを判断する。
【００９４】
３３０ａ。ＨＳＳが、ホームネットワークがホームネットワークにおけるＣＳドメインを用いることによって訪問先ネットワークと通信すると判断する場合、ＨＳＳは、データ挿入要求メッセージをＶＭＳＣに送信し、ここで、データ挿入要求メッセージは、ＵＥがホームネットワークにおけるサービスに加入しているときに記憶される加入者情報を保有し、それによって、ＨＳＳは、加入者情報に従って訪問先ネットワークへのＵＥの登録を行うようにＶＭＳＣに命令する。
【００９５】
加入者情報は、ホームネットワークにおいてＵＥが加入しているサービスに関する情報を含むことができる。
【００９６】
本発明のこの実施形態において、ホームネットワークがホームネットワークにおけるＣＳドメインを用いることによって訪問先ネットワークと通信すると判断される場合、データ挿入要求メッセージがＶＭＳＣに送信され、ここで、データ挿入要求メッセージは、ＵＥがホームネットワークにおいてサービスに加入しているときに記憶される加入者情報を保有し、それによってＶＭＳＣは、加入者情報に従ってＵＥのサービスのトリガーを制御することができ、ＵＥのサービスが正常にトリガーされることが可能であることが確実にされる。
【００９７】
オプションで、一実施形態では、ロケーション更新要求メッセージはＶＬＲの番号を含むことができる。ステップ３２０ａにおいて、ＨＳＳは、訪問先ネットワークとホームネットワークとの間のローミング協定を、ＶＬＲの番号、及びＶＬＲの番号とローミング協定との間の対応関係に従って決定することができる。ＨＳＳは、訪問先ネットワークとホームネットワークとの間のローミング協定に従って、訪問先ネットワークが、ホームネットワークにおけるＣＳドメインを用いることによって訪問先ネットワークと通信すると判断することができる。
【００９８】
オプションで、別の実施形態では、上記の加入者情報は、遅延転送サービスに関する情報を含むことができる。
【００９９】
ＨＳＳは、遅延転送サービスに関する情報をＶＭＳＣに送信することができる。この場合、ＵＥが着呼側ＵＥとして用いられるとき、遅延転送サービスは、遅延転送サービスに関する情報に従って、ＶＭＳＣによってトリガーされることが可能である。この場合、訪問先ネットワークは、失敗原因値をホームネットワークに返す必要がなく、これによって、遅延転送サービスが正常にトリガーされることが可能であることを確実にする。
【０１００】
オプションで、別の実施形態では、ＨＳＳは、ホームネットワークにおけるＡＳからアクセスドメイン情報要求メッセージを更に受信することができる。ここで、アクセスドメイン情報要求メッセージは、アクセスドメイン情報を要求するために用いられる。ＨＳＳは、アクセスドメイン情報応答メッセージをＡＳに送信することができ、ここで、アクセスドメイン情報応答メッセージはアクセスドメイン情報を保有することができ、アクセスドメイン情報は、ホームネットワークがホームネットワークにおけるＣＳドメインを用いることによって訪問先ネットワークと通信するか否かを示すために用いられることが可能である。ＡＳは、アクセスドメイン情報に従って、ＵＥのサービスを制御するか否かを判断する必要がある。したがって、ＡＳは、ＨＳＳからアクセスドメイン情報を取得することができる。
【０１０１】
オプションで、別の実施形態では、ＨＳＳは、ホームネットワークにおけるＡＳによって送信されたデータ更新要求メッセージを更に受信することができ、ここで、データ更新要求メッセージは、ＵＥが付加サービスを設定するように要求していることを示すために用いられる。ＨＳＳが、ホームネットワークがホームネットワークにおけるＣＳドメインを用いることによって訪問先ネットワークと通信すると判断する場合、ＨＳＳは、付加サービスをチェックすることができる。ＨＳＳは、データ更新応答メッセージをＡＳに送信することができ、ここで、データ更新応答メッセージは、付加サービスの設定に成功したことの識別子又は付加サービスの設定に失敗したことの識別子を保有する。データ更新応答メッセージが付加サービスの設定に成功したことの識別子を保有する場合、付加サービス設定応答メッセージも、付加サービスの設定に成功したことの識別子を保有し、データ更新応答メッセージが付加サービスの設定に失敗したことの識別子を保有する場合、付加サービス設定応答メッセージも、付加サービスの設定に失敗したことの識別子を保有することが理解されるべきである。この実施形態では、ＡＳは、ＵＥが設定することを要求する付加サービスに対するサービスチェックを実行せず、ＨＳＳがチェックを実行し、このことは、付加サービスが２つのチェック基準を用いることによってチェックされることを回避することができ、それによって、付加サービスの不整合性が回避されることが可能である。
【０１０２】
現在のところ、ＣＳドメインにおいて、ＵＳＳＤ方式で付加サービスがＵＥに対し設定されることが可能である。ＩＭＳドメインにおいて、付加サービスは、Ｕｔインタフェースを用いることによってＵＥに対し設定されることが可能である。ＵＥが訪問先ネットワークに位置し、ＵＥのホームネットワークがホームネットワークにおけるＣＳドメインを用いることによって訪問先ネットワークと通信するとき、付加サービスがＵＳＳＤ方式でＵＥに対し設定される場合もあるし、又は付加サービスがＵｔインタフェースを用いることによってＵＥに対し設定される場合もある。ＣＳドメイン内の付加サービスのチェック基準は、ＩＭＳドメインにおける付加サービスのチェック基準と異なる。したがって、サービスは、２つの異なるチェック基準を用いることによってチェックされる場合があり、これは不整合なサービス設定を生じさせる。以下の記載は、本発明のこの実施形態における、ＵＥに対する付加サービスを設定するプロセスを説明する。
【０１０３】
図３ｂは、本発明の別の実施形態によるユーザサービス処理方法の概略フローチャートである。
【０１０４】
３１０ｂ。ＵＥのホームネットワークにおけるＡＳが、ＵＥによって送信された付加サービス設定要求メッセージを受信する。ここで、付加サービス設定要求メッセージは、ＵＥが付加サービスを設定することを要求していることを示すために用いられる。
【０１０５】
３２０ｂ。ＡＳは、ホームネットワークがホームネットワークにおけるＣＳドメインを用いることによってＵＥの訪問先ネットワークと通信するか否かを判断する。
【０１０６】
３３０ｂ。ＡＳが、ホームネットワークがホームネットワークにおけるＣＳドメインを用いることによって訪問先ネットワークと通信すると判断する場合、ＡＳは付加サービスをチェックせず、ホームネットワークにおけるＨＳＳにデータ更新要求メッセージを送信し、それによって、ＨＳＳは、データ更新要求メッセージに従って付加サービスをチェックする。
【０１０７】
本発明の実施形態において、ＡＳが、ホームネットワークがホームネットワークにおけるＣＳドメインを用いることによって訪問先ネットワークと通信すると判断する場合、ＡＳは付加サービスをチェックせず、ホームネットワークにおけるＨＳＳにデータ更新要求メッセージを送信し、それによって、ＨＳＳは、付加サービスをチェックする。このことは、付加サービスが２つのチェック基準を用いることによってチェックされることを回避することができ、それによって、付加サービスの不整合性が回避されることが可能である。
【０１０８】
オプションで、一実施形態では、ステップ３２０ｂにおいて、ＡＳはアクセスドメイン情報要求メッセージをＨＳＳに送信することができ、ここで、アクセスドメイン情報要求メッセージは、ＵＥの識別子を保有する。ＡＳは、ＨＳＳによって送信されたアクセスドメイン情報応答メッセージを受信することができ、ここで、アクセスドメイン情報応答メッセージはアクセスドメイン情報を保有し、アクセスドメイン情報は、ホームネットワークがホームネットワークにおけるＣＳドメインを用いることによって訪問先ネットワークと通信するか否かを示すために用いられる。
【０１０９】
上記から、ＨＳＳは、ＵＥのロケーション更新を担当することがわかる。ＵＥがＶＭＳＣに対するロケーション更新要求を開始すると、ＨＳＳは、ＶＭＳＣからＶＬＲの番号を取得することができ、それによって、このＶＬＲの番号に従ってアクセスドメイン情報を判断する。ＡＳは、ＨＳＳからアクセスドメイン情報を取得することができる。
【０１１０】
オプションで、別の実施形態では、ステップ３３０ｂの後、ＡＳはＨＳＳによって送信されたデータ更新応答メッセージを受信することができ、ここで、データ更新応答メッセージは、付加サービスの設定に成功したことの識別子又は付加サービスの設定に失敗したことの識別子を保有する。ＡＳは、付加サービス設定応答メッセージをＵＥに更に送信することができ、ここで、付加サービス設定応答メッセージは、付加サービスの設定に成功したことの識別子又は付加サービスの設定に失敗したことの識別子を保有する。データ更新応答メッセージが付加サービスの設定に成功したことの識別子を保有する場合、付加サービス設定応答メッセージも、付加サービスの設定に成功したことの識別子を保有し、データ更新応答メッセージが付加サービスの設定に失敗したことの識別子を保有する場合、付加サービス設定応答メッセージも、付加サービスの設定に失敗したことの識別子を保有することが理解されるべきである。
【０１１１】
以下の記載は、特殊な例を参照して本発明の実施形態を詳細に説明する。以下の例は、本発明の実施形態の範囲を限定するのではなく、単に、当業者が本発明の実施形態をより良好に理解するのを支援することを意図されていることが理解されるべきである。
【０１１２】
図４は、本発明の一実施形態によるユーザサービス処理方法のプロセスの概略フローチャートである。図４において、着呼側ＵＥへの呼を開始する発呼側ＵＥがＣＳドメイン内に位置することが仮定される。
【０１１３】
４０１。ＧＭＳＣは、着信する第１のＩＡＭを受信する。ここで、第１のＩＡＭは、発呼側ＵＥが着呼側ＵＥへの呼を開始することを示すために用いられることが可能である。
【０１１４】
４０２。ＧＭＳＣは、ＩＡＭに従って第１のＳＲＩメッセージをＨＳＳに送信する。ここで、第１のＳＲＩメッセージは、発呼側ＵＥが着呼側ＵＥへの呼を開始することを示すために用いられることが可能であり、第１のＳＲＩメッセージが着呼側ＵＥの識別子を保有することができる。
【０１１５】
４０３。ＨＳＳは、第１のＳＲＩメッセージに従って、着呼側ＵＥのホームネットワークがホームネットワークにおけるＣＳドメインを用いることによって訪問先ネットワークと通信するか否かを判断する。
【０１１６】
例えば、着呼側ＵＥによってロケーション更新を開始するプロセスにおいて、ＨＳＳはＶＬＲの番号を取得し、ＶＬＲの番号を記憶することができる。ステップ４０３において、ＨＳＳは、着呼側ＵＥの識別子に従ってＶＬＲの記憶された番号を取得することができる。訪問先ネットワークとホームネットワークとの間のローミング協定が、ＶＬＲの番号、及びＶＬＲの番号とローミング協定との間の対応関係に従って決定される。次に、ＨＳＳは、訪問先ネットワークとホームネットワークとの間のローミング協定に従って、着呼側ＵＥのホームネットワークがホームネットワークにおけるＣＳドメインを用いることによって訪問先ネットワークと通信するか否かを判断することができる。
【０１１７】
４０４。ホームネットワークがホームネットワークにおけるＣＳドメインを用いることによって訪問先ネットワークと通信する場合、ＨＳＳは、第１のＳＲＩ＿ＡＣＫメッセージをＧＭＳＣに送信し、ここで、第１のＳＲＩ＿ＡＣＫメッセージは着呼側ＵＥのＴ＿ＣＳＩを含む。
【０１１８】
図４において、着呼側ＵＥのホームネットワークがホームネットワークにおけるＣＳドメインを用いることによって訪問先ネットワークと通信するが、ホームネットワークにおけるＩＭＳドメインを用いることによって訪問先ネットワークと通信することはできないと仮定される。Ｔ＿ＣＳＩは、ホームネットワークにおけるＣＳドメインを用いることによって、訪問先ネットワークへの呼をローミングするためのローミング番号を取得するようにＧＭＳＣに命令するために用いられる。
【０１１９】
ホームネットワークがホームネットワークにおけるＩＭＳドメインを用いることによって訪問先ネットワークと通信することができる場合、ＨＳＳは、アンカリングＴ＿ＣＳＩをＧＭＳＣに送信することができることが理解されるべきであり、ここで、アンカリングＴ＿ＣＳＩは、ホームネットワークにおけるＡＳに呼をルーティングするようにＧＭＳＣに命令するために用いられる。特殊なプロセスについては、既存のプロセスを参照し、詳細は繰り返し説明されない。
【０１２０】
４０５。ＧＭＳＣは、Ｔ＿ＣＳＩに従って第２のＳＲＩメッセージをＨＳＳに送信する。ここで、第２のＳＲＩメッセージは、ローミング番号を要求するために用いられる。
【０１２１】
４０６。ＨＳＳは、ＰＲＮメッセージをＶＭＳＣに送信する。ここで、ＰＲＮメッセージは、ローミング番号を要求するために用いられる。
【０１２２】
４０７。ＶＭＳＣは、ＰＲＮ＿ＡＣＫメッセージをＨＳＳに送信する。ここで、ＰＲＮ＿ＡＣＫメッセージはローミング番号を保有する。
【０１２３】
４０８。ＨＳＳは、第２のＳＲＩ＿ＡＣＫメッセージをＧＭＳＣに送信する。ここで、第２のＳＲＩ＿ＡＣＫメッセージはローミング番号を含み、ローミング番号は、呼を訪問先ネットワークにルーティングするために用いられる。
【０１２４】
４０９。ＧＭＳＣは、ローミング番号に従って、第２のＩＡＭをＶＭＳＣに送信する。ここで、第２のＩＡＭは、呼をＶＭＳＣにルーティングするために用いられる。
【０１２５】
４１０。ＶＭＳＣは、第２のＩＡＭに従って、呼を着呼側ＵＥにルーティングする。
【０１２６】
本発明のこの実施形態において、ホームネットワークがホームネットワークにおけるＣＳドメインを用いることによって訪問先ネットワークと通信する場合、着呼側ＵＥのＴ＿ＣＳＩがＧＭＳＣに送信され、ここで、Ｔ＿ＣＳＩは、ホームネットワークにおけるＣＳドメインを用いることによって、呼を訪問先ネットワークにルーティングするためのローミング番号を取得するようにＧＭＳＣに命令するのに用いられ、それによって、ＧＭＳＣは、着呼側ＵＥへの呼を、ホームネットワークにおけるＣＳドメインを用いることによってルーティングし、サービストリガーは、ＩＭＳドメインによって制御されるのではなく、ＣＳドメインによって制御されることが可能である。したがって、訪問先ネットワークは、サービス情報をホームネットワークにリアルタイムで返す必要がなく、着呼側ＵＥのサービスが正常にトリガーされることが可能であることが確実にされる。
【０１２７】
図５は、本発明の別の実施形態による、ユーザサービス処理方法のプロセスの概略フローチャートである。図５において、着呼側ＵＥへの呼を開始する発呼側ＵＥが、ＩＭＳドメイン内に位置し、発呼側ＵＥ及び着呼側ＵＥが、同じホームネットワークにおけるサービスに加入していることが仮定される。
【０１２８】
５０１。第２のＵＥが、セッション要求メッセージをＣＳＣＦデバイスに送信する。ここで、セッション要求メッセージは、発呼側ＵＥが着呼側ＵＥへの呼を開始することを示すために用いられることが可能であり、セッション要求メッセージは、被呼番号等の、着呼側ＵＥの識別子を保有することができる。
【０１２９】
５０２。ＣＳＣＦデバイスは、セッション要求メッセージに従って、アクセスドメイン確認要求メッセージをＡＳに送信する。ここで、アクセスドメイン確認要求メッセージは、着呼側ＵＥの識別子を保有することができる。
【０１３０】
５０３。ＡＳは、着呼側ＵＥの識別子に従って、アクセスドメイン情報要求メッセージをＨＳＳに送信する。ここで、アクセスドメイン情報要求メッセージは、アクセスドメイン情報を要求するために用いられる。
【０１３１】
５０４。ＨＳＳは、アクセスドメイン情報要求メッセージに従って、アクセスドメイン情報をＡＳに送信する。
【０１３２】
５０５。アクセスドメイン情報が、ホームネットワークがホームネットワークにおけるＣＳドメインを用いることによって訪問先ネットワークと通信することを示すために用いられる場合、ＡＳはアクセスドメイン確認応答メッセージをＣＳＣＦデバイスに送信する。ここで、アクセスドメイン確認応答メッセージは特殊な番号を含み、特殊な番号は、ホームネットワークにおけるＣＳドメインを用いることによって呼を訪問先ネットワークにルーティングするように命令するために用いられる。
【０１３３】
図５において、着呼側ＵＥのホームネットワークがホームネットワークにおけるＣＳドメインを用いることによって訪問先ネットワークと通信するが、ホームネットワークにおけるＩＭＳドメインを用いることによって訪問先ネットワークと通信することはできないと仮定される。
【０１３４】
ＣＳドメインがサービス制御を行うために、ホームネットワークがホームネットワークにおけるＣＳドメインを用いることによって訪問先ネットワークと通信する場合、ＡＳはサービス処理を行わず、特殊な番号を生成することができる。特殊な番号は、被呼番号の前のプレフィックス番号とすることができる。
【０１３５】
アクセスドメイン情報が、ホームネットワークがホームネットワークにおけるＩＭＳドメインを用いることによって訪問先ネットワークと通信することができることを示す場合、ＡＳが呼を処理することができ、すなわち、ＩＭＳドメインによって呼サービスを処理するための既存の手順に従って実行を行うことができることが理解されるべきである。
【０１３６】
５０６。ＣＳＣＦデバイスは、特殊な番号に従って、セッション要求メッセージをＭＧＣＦデバイスに送信する。
【０１３７】
換言すれば、ＣＳＣＦデバイスは、特殊な番号に従ってＭＧＣＦデバイスに呼をルーティングする。
【０１３８】
５０７。ＭＧＣＦデバイスは、セッション要求メッセージをＧＭＳＣに送信する。
【０１３９】
特に、ＭＧＣＦデバイスは、呼をＧＭＳＣにルーティングする。
【０１４０】
ステップ５０８〜ステップ５１３は、図４におけるステップ４０５〜ステップ４１０と同様であり、詳細は繰り返し説明されない。
【０１４１】
本発明のこの実施形態において、ホームネットワークがホームネットワークにおけるＣＳドメインを用いることによって訪問先ネットワークと通信する場合、ＡＳによってＣＳＣＦデバイスに送信されるアクセスドメイン確認応答メッセージは特殊な番号を含み、特殊な番号は、ホームネットワークにおけるＣＳドメインを用いることによって呼を訪問先ネットワークにルーティングするように命令するのに用いられ、それによって、サービストリガーが、ＩＭＳドメインによって制御されるのではなくＣＳドメインによって制御されることが可能になる。したがって、訪問先ネットワークは、サービスに関する関連情報をホームネットワークにリアルタイムで返す必要がなく、着呼側ＵＥのサービスが正常にトリガーされることが可能であることが確実にされる。
【０１４２】
図６は、本発明の別の実施形態によるユーザサービス処理方法のプロセスの概略フローチャートである。図６において、ＨＳＳは、ＵＥのホームネットワークに位置する。
【０１４３】
６０１。ＵＥは、ロケーション更新要求メッセージをＶＭＳＣに送信する。ここで、ロケーション更新要求メッセージはＵＥの識別子を保有する。
【０１４４】
特に、ロケーション更新要求メッセージは、ＵＥが訪問先ネットワークに登録することを要求していることを示すために用いられることが可能である。ＵＥが訪問先ネットワークにローミングするとき、訪問先ネットワークにおけるＵＥに関する情報がない。したがって、ＵＥは、ロケーション更新要求を開始することによって、訪問先ネットワークへの登録を完了する必要がある。この場合、ＵＥは、訪問先ネットワークを用いることによってサービスを用いることができる。
【０１４５】
６０２。ＶＭＳＣがＵＥのロケーション更新要求メッセージをＨＳＳに送信する。
【０１４６】
６０３。ＨＳＳは、ＵＥの識別子に従って、ＵＥのホームネットワークがホームネットワークにおけるＣＳドメインを用いることによって訪問先ネットワークと通信するか否かを判断する。
【０１４７】
ロケーション更新要求メッセージは、ＶＬＲの番号を更に含むことができる。ＨＳＳは、ＶＬＲの番号に従って、ＵＥのホームネットワークがホームネットワークにおけるＣＳドメインを用いることによって訪問先ネットワークと通信するか否かを判断することができる。
【０１４８】
特殊なプロセスについては、図４のステップ４０３を参照し、詳細は繰り返し説明されない。
【０１４９】
６０４。ホームネットワークがホームネットワークにおけるＣＳドメインを用いることによって訪問先ネットワークと通信する場合、ＨＳＳはデータ挿入要求メッセージをＶＭＳＣに送信する。ここで、データ挿入要求メッセージは、ＵＥがホームネットワークにおけるサービスに加入しているときに記憶される加入者情報を含む。
【０１５０】
例えば、加入者情報は、ＵＥがホームネットワークにおいて加入しているサービスに関する情報を含む。ＵＥがホームネットワークにおいて加入しているサービスは、遅延転送サービスを含むことができる。
【０１５１】
ホームネットワークがホームネットワークにおけるＩＭＳドメインを用いることによって訪問先ネットワークと通信することができる場合、データ挿入要求メッセージ内の加入者情報は、遅延転送サービスに関する情報を含むことができないことが理解されるべきである。
【０１５２】
６０５。ＵＥの加入者情報を保存した後、ＶＭＳＣは、データ挿入応答メッセージをＨＳＳに送信する。
【０１５３】
ＶＭＳＣがＵＥの加入者情報を保存した後、訪問先ネットワークへのＵＥの登録が完了する。
【０１５４】
６０６。ＶＭＳＣは、ロケーション更新応答メッセージをＵＥに送信する。ここで、ロケーション更新応答メッセージは、ＵＥのロケーション更新の成功を示すために用いられる。
【０１５５】
本発明のこの実施形態において、ホームネットワークがホームネットワークにおけるＣＳドメインを用いることによって訪問先ネットワークと通信すると判断される場合、データ挿入要求メッセージがＶＭＳＣに送信される。ここで、データ挿入要求メッセージは、ＵＥがホームネットワークにおけるサービスに加入しているときに記憶される加入者情報を保有し、それによって、ＶＭＳＣは、加入者情報に従ってＵＥのサービスのトリガーを制御することができ、ＵＥのサービスが正常にトリガーされることが可能であることが確実にされる。
【０１５６】
図７は、本発明の別の実施形態によるユーザサービス処理方法のプロセスの概略フローチャートである。図７において、ＡＳ及びＨＳＳは、共にＵＥのホームネットワークに位置する。
【０１５７】
７０１。ＵＥは、Ｕｔインタフェースを用いることによってＡＳに付加サービス設定要求メッセージを送信する。ここで、付加サービス設定要求メッセージは、ＵＥが付加サービスを設定することを要求していることを示すために用いられる。
【０１５８】
７０２。付加サービス設定要求メッセージを受信した後、ＡＳは、アクセスドメイン情報要求メッセージをＨＳＳに送信する。ここで、アクセスドメイン情報要求メッセージは、アクセスドメイン情報を要求するために用いられる。
【０１５９】
７０３。ＨＳＳは、アクセスドメイン情報応答メッセージをＡＳに送信し、ここで、アクセスドメイン情報応答メッセージはアクセスドメイン情報を保有する。
【０１６０】
７０４。アクセスドメイン情報が、ホームネットワークがホームネットワークにおけるＣＳドメインを用いることによって訪問先ネットワークと通信することを示す場合、ＡＳは、付加サービスをチェックせず、データ更新要求メッセージをＨＳＳに送信する。
【０１６１】
図７において、ＵＥのホームネットワークがホームネットワークにおけるＣＳドメインを用いることによって訪問先ネットワークと通信するが、ホームネットワークにおけるＩＭＳドメインを用いることによって訪問先ネットワークと通信することはできないと仮定される。
【０１６２】
データ更新要求メッセージは、ＵＥが付加サービスを設定することを要求していることを示すために用いられることが可能である。例えば、データ更新要求メッセージは、ＵＥの識別子と、付加サービスに関する情報とを保有することができる。
【０１６３】
７０５。ＨＳＳは付加サービスをチェックする。
【０１６４】
７０６。ＨＳＳはデータ更新応答メッセージをＡＳに送信する。
【０１６５】
データ更新応答メッセージは、付加サービスの設定に成功したことの識別子又は付加サービスの設定に失敗したことの識別子を保有する。
【０１６６】
ステップ７０５において、付加サービスに対するＨＳＳのチェックが成功した場合、付加サービスに関する情報が保存される。この場合、データ更新応答メッセージは、付加サービスの設定に成功したことの識別子を保有する。付加サービスに対するＨＳＳの検出が失敗した場合、データ更新応答メッセージは、付加サービスの設定に失敗したことの識別子を保有する。
【０１６７】
７０７。ＡＳは付加サービス設定応答メッセージをＵＥに送信する。
【０１６８】
データ更新応答メッセージが、付加サービスの設定に成功したことの識別子を保有する場合、付加サービス設定応答メッセージは、付加サービスの設定に成功したことの識別子を保有し、データ更新応答メッセージが、付加サービスの設定に失敗したことの識別子を保有する場合、付加サービス設定応答メッセージは、付加サービスの設定に失敗したことの識別子を保有する。
【０１６９】
アクセスドメイン情報が、ホームネットワークがホームネットワークにおけるＩＭＳドメインを用いることによって訪問先ネットワークと通信することができることを示す場合、ＡＳは付加サービスをチェックし、ＡＳは、チェックされた付加サービスに関する情報をＨＳＳに送信することができ、ＨＳＳは、付加サービスに関する情報を保存することができることが理解されるべきである。この場合、ＨＳＳは付加サービスをチェックしない。
【０１７０】
本発明のこの実施形態において、ＡＳが、ホームネットワークがホームネットワークにおけるＣＳドメインを用いることによって訪問先ネットワークと通信すると判断する場合、ＡＳは付加サービスをチェックせず、データ更新要求メッセージをホームネットワークにおけるＨＳＳに送信し、それによって、ＨＳＳが付加サービスをチェックする。このことは、付加サービスが２つのチェック基準を用いることによってチェックされることを回避することができ、それによって、付加サービスの不整合性が回避されることが可能である。
【０１７１】
図８は、本発明の一実施形態による呼制御デバイスの概略ブロック図である。図８において、呼制御デバイス８００は、着呼側ＵＥのホームネットワークに位置する。呼制御デバイス８００は、受信モジュール８１０と、判断モジュール８２０と、送信モジュール８３０とを備える。
【０１７２】
呼が着呼側ＵＥに対し開始されているとき、受信モジュール８１０は、ホームネットワークにおける呼ルーティングデバイスによって送信されたアクセスドメイン確認要求メッセージを受信する。ここで、アクセスドメイン確認要求メッセージは、着呼側ＵＥの識別子を保有する。判断モジュール８２０は、受信モジュール８１０によって受信される着呼側ＵＥの識別子に従って、ホームネットワークがホームネットワークにおけるＣＳドメインを用いることによって着呼側ＵＥの訪問先ネットワークと通信すると判断する。判断モジュール８２０が、ホームネットワークがホームネットワークにおけるＣＳドメインを用いることによって訪問先ネットワークと通信すると判断した後、送信モジュール８３０は、アクセスドメイン確認応答メッセージを呼ルーティングデバイスに送信する。ここで、アクセスドメイン確認応答メッセージは命令情報を保有し、命令情報は、呼ルーティングデバイスに、ホームネットワークにおけるＣＳドメインを用いることによって呼を訪問先ネットワークにルーティングするように命令するために用いられる。
【０１７３】
本発明のこの実施形態では、呼制御デバイスは、呼ルーティングデバイスから、着呼側ＵＥの識別子を保有するアクセスドメイン確認要求メッセージを受信し、着呼側ＵＥの識別子に従って、着呼側ＵＥのホームネットワークが、ホームネットワークにおけるＣＳドメインを用いることによって着呼側ＵＥの訪問先ネットワークと通信すると判断する。したがって、呼制御デバイスは、ホームネットワークにおけるＣＳドメインを用いることによって呼を訪問先ネットワークにルーティングするように呼ルーティングデバイスに命令するための命令情報を含むアクセスドメイン確認応答メッセージを呼ルーティングデバイスに送信し、それによって、サービストリガーは、ＩＭＳドメインによって制御されるのではなく、ＣＳドメインによって制御されることが可能になる。したがって、訪問先ネットワークは、サービス情報をホームネットワークにリアルタイムで返す必要がなく、着呼側ＵＥのサービスが正常にトリガーされることが可能であることが確実にされる。
【０１７４】
オプションで、一実施形態において、呼制御デバイス８００はＨＳＳとすることができ、呼ルーティングデバイスはＧＭＳＣとすることができる。
【０１７５】
オプションで、別の実施形態では、送信モジュール８３０は、アクセスドメイン確認応答メッセージを呼ルーティングデバイスに送信することができる。ここで、アクセスドメイン確認応答メッセージはＴ＿ＣＳＩを保有し、Ｔ＿ＣＳＩは、呼ルーティングデバイスに、ＣＳドメインを用いることによって、呼を訪問先ネットワークにルーティングするためのローミング番号を取得するように命令するために用いられる。
【０１７６】
オプションで、別の実施形態では、受信モジュール８１０は、訪問先ネットワークにおいてＶＭＳＣによって送信されるロケーション更新要求メッセージを更に受信することができる。ここで、ロケーション更新要求メッセージは、着呼側ＵＥの識別子を保有する。
【０１７７】
ホームネットワークがホームネットワークにおけるＣＳドメインを用いることによって訪問先ネットワークと通信する場合、送信モジュール８３０は、受信モジュール８１０によって受信される着呼側ＵＥの識別子に従って、データ挿入要求メッセージをＶＭＳＣに更に送信することができ、ここで、データ挿入要求メッセージは、着呼側ＵＥがホームネットワークにおけるサービスに加入しているときに記憶される加入者情報を保有し、それによって、送信モジュール８３０は、加入者情報に従って訪問先ネットワークへの着呼側ＵＥの登録を行うようにＶＭＳＣに命令する。
【０１７８】
オプションで、別の実施形態では、ロケーション更新要求メッセージはＶＬＲの番号を含むことができる。
【０１７９】
判断モジュール８２０は、訪問先ネットワークとホームネットワークとの間のローミング協定を、ＶＬＲの番号、及びＶＬＲの番号とローミング協定との間の対応関係に従って決定することができ、訪問先ネットワークとホームネットワークとの間のローミング協定に従って、ホームネットワークがホームネットワークにおけるＣＳドメインを用いることによって訪問先ネットワークと通信すると判断することができる。
【０１８０】
オプションで、別の実施形態では、上記の加入者情報は、遅延転送サービスに関する情報を含むことができる。
【０１８１】
オプションで、別の実施形態では、呼制御デバイス８００は、チェックモジュール８４０を更に含むことができる。
【０１８２】
受信モジュール８１０は、ホームネットワークにおけるＡＳによって送信されたデータ更新要求メッセージを更に受信することができ、ここで、データ更新要求メッセージは、着呼側ＵＥが付加サービスを設定することを要求していることを示すために用いられる。
【０１８３】
チェックモジュール８４０は、ホームネットワークがホームネットワークにおけるＣＳドメインを用いることによって訪問先ネットワークと通信する場合、付加サービスをチェックすることができる。送信モジュール８３０は、データ更新応答メッセージをＡＳに更に送信することができ、ここで、データ更新応答メッセージは、付加サービスの設定に成功したことの識別子又は付加サービスの設定に失敗したことの識別子を保有する。
【０１８４】
オプションで、別の実施形態では、呼制御デバイスはＡＳとすることができ、呼ルーティングデバイスはＣＳＣＦデバイスとすることができる。
【０１８５】
オプションで、別の実施形態では、送信モジュール８３０は、アクセスドメイン確認応答メッセージを呼ルーティングデバイスに送信することができる。ここで、アクセスドメイン確認応答メッセージは特殊な番号を保有し、特殊な番号は、呼ルーティングデバイスに、ホームネットワークにおけるＣＳドメインを用いることによって訪問先ネットワークに呼をルーティングするように命令するために用いられる。
【０１８６】
オプションで、別の実施形態では、送信モジュール８３０は、アクセスドメイン情報要求メッセージをＨＳＳに更に送信することができる。ここで、アクセスドメイン情報要求メッセージは、着呼側ＵＥの識別子を保有する。受信モジュール８１０は、ＨＳＳによって送信されたアクセスドメイン情報応答メッセージを更に受信することができる。ここで、アクセスドメイン情報応答メッセージはアクセスドメイン情報を保有し、アクセスドメイン情報は、ホームネットワークがホームネットワークにおけるＣＳドメインを用いることによって訪問先ネットワークと通信することを示すために用いられる。
【０１８７】
オプションで、別の実施形態では、受信モジュール８１０は、着呼側ＵＥによって送信された付加サービス設定要求メッセージを更に受信することができる。ここで、付加サービス設定要求メッセージは、着呼側ＵＥが付加サービスを設定することを要求していることを示すために用いられる。
【０１８８】
ホームネットワークがホームネットワークにおけるＣＳドメインを用いることによって訪問先ネットワークと通信する場合、送信モジュール８３０は、データ更新要求メッセージをＨＳＳに更に送信することができ、ここで、データ更新要求メッセージは、着呼側ＵＥが付加サービスを設定することを要求していることを示すために用いられる。
【０１８９】
受信モジュール８１０は、ＨＳＳによって送信されたデータ更新応答メッセージを更に受信することができる。ここで、データ更新応答メッセージは、付加サービスの設定に成功したことの識別子又は付加サービスの設定に失敗したことの識別子を保有する。
【０１９０】
送信モジュール８３０は、付加サービス設定応答メッセージを着呼側ＵＥに更に送信することができる。ここで、付加サービス設定応答メッセージは、付加サービスの設定に成功したことの識別子又は付加サービスの設定に失敗したことの識別子を保有する。
【０１９１】
呼制御デバイス８００の特殊な機能及び動作については、図２及び図４〜図７の方法実施形態における呼制御デバイスに関係するプロセスを参照する。繰返しを回避するために、本明細書において詳細は繰り返し説明されない。
【０１９２】
図９は、本発明の一実施形態によるＨＳＳの概略ブロック図である。図９において、ＨＳＳ９００は、ＵＥのホームネットワークに位置する。ＨＳＳ９００は、受信モジュール９１０と、判断モジュール９２０と、送信モジュール９３０とを備える。
【０１９３】
受信モジュール９１０は、ＵＥの訪問先ネットワークにおけるＶＭＳＣによって送信されるロケーション更新要求メッセージを受信する。ここで、ロケーション更新要求メッセージはＵＥの識別子を保有する。判断モジュール９２０は、受信モジュール９１０によって受信されるＵＥの識別子に従って、ホームネットワークがホームネットワークにおけるＣＳドメインを用いることによって訪問先ネットワークと通信するか否かを判断する。判断モジュール９２０が、ホームネットワークがホームネットワークにおけるＣＳドメインを用いることによって訪問先ネットワークと通信すると判断する場合、送信モジュール９３０は、データ挿入要求メッセージをＶＭＳＣに送信し、ここで、データ挿入要求メッセージは、ＵＥがホームネットワークにおけるサービスに加入しているときに記憶される加入者情報を保有し、それによって、送信モジュール９３０は、加入者情報に従って訪問先ネットワークへのＵＥの登録を行うようにＶＭＳＣに命令する。
【０１９４】
本発明のこの実施形態において、ホームネットワークがホームネットワークにおけるＣＳドメインを用いることによって訪問先ネットワークと通信すると判断される場合、データ挿入要求メッセージがＶＭＳＣに送信される。ここで、データ挿入要求メッセージは、ＵＥがホームネットワークにおけるサービスに加入しているときに記憶される加入者情報を保有し、それによって、ＶＭＳＣは、加入者情報に従ってＵＥのサービスのトリガーを制御することができ、ＵＥのサービスが正常にトリガーされることが可能であることが確実にされる。
【０１９５】
オプションで、一実施形態では、ロケーション更新要求メッセージはビジターロケーションレジスタＶＬＲの番号を含む。判断モジュール９２０は、訪問先ネットワークとホームネットワークとの間のローミング協定を、ＶＬＲの番号、及びＶＬＲの番号とローミング協定との間の対応関係に従って決定することができ、訪問先ネットワークとホームネットワークとの間のローミング協定に従って、ホームネットワークがホームネットワークにおけるＣＳドメインを用いることによって訪問先ネットワークと通信すると判断することができる。
【０１９６】
オプションで、別の実施形態では、加入者情報は、遅延転送サービスに関する情報を含むことができる。
【０１９７】
オプションで、別の実施形態では、ＨＳＳ９００はチェックモジュール９４０を更に備えることができる。
【０１９８】
受信モジュール９１０は、ホームネットワークにおけるＡＳによって送信されたデータ更新要求メッセージを更に受信することができる。ここで、データ更新要求メッセージは、ＵＥが付加サービスを設定することを要求していることを示すために用いられる。チェックモジュール９４０は、ホームネットワークがホームネットワークにおけるＣＳドメインを用いることによって訪問先ネットワークと通信する場合、付加サービスをチェックすることができる。送信モジュール９３０は、データ更新応答メッセージをＡＳに更に送信することができ、ここで、データ更新応答メッセージは、付加サービスの設定に成功したことの識別子又は付加サービスの設定に失敗したことの識別子を保有する。
【０１９９】
図９におけるＨＳＳ９００の特殊な機能及び動作については、上記の図３ａ及び図６の方法実施形態におけるＨＳＳに関係するプロセスを参照する。繰返しを回避するために、本明細書において詳細は繰り返し説明されない。
【０２００】
図１０は、本発明の一実施形態によるＡＳの概略ブロック図である。図１０において、ＡＳ１０００は、ＵＥのホームネットワークに位置する。ＡＳ１０００は、受信モジュール１０１０と、判断モジュール１０２０と、送信モジュール１０３０とを備える。
【０２０１】
受信モジュール１０１０は、ＵＥによって送信された付加サービス設定要求メッセージを受信する。ここで、付加サービス設定要求メッセージは、ＵＥが付加サービスを設定することを要求していることを示すために用いられる。判断モジュール１０２０は、ホームネットワークがホームネットワークにおけるＣＳドメインを用いることによってＵＥの訪問先ネットワークと通信するか否かを判断する。判断モジュール１０２０は、判断モジュール１０２０が、ホームネットワークがホームネットワークにおけるＣＳドメインを用いることによって訪問先ネットワークと通信すると判断する場合、付加サービスをチェックしない。判断モジュール１０２０が、ホームネットワークがホームネットワークにおけるＣＳドメインを用いることによって訪問先ネットワークと通信すると判断する場合、送信モジュール１０３０はデータ更新要求メッセージをホームネットワークにおけるＨＳＳに送信し、それによって、ＨＳＳが、データ更新要求メッセージに従って付加サービスをチェックする。
【０２０２】
本発明のこの実施形態では、ＡＳが、ホームネットワークがホームネットワークにおけるＣＳドメインを用いることによって訪問先ネットワークと通信すると判断する場合、ＡＳは付加サービスをチェックせず、データ更新要求メッセージをホームネットワークにおけるＨＳＳに送信し、それによって、ＨＳＳが付加サービスをチェックする。このことは、付加サービスが２つのチェック基準を用いることによってチェックされることを回避することができ、それによって、付加サービスの不整合性が回避されることが可能である。
【０２０３】
オプションで、一実施形態では、送信モジュール１０３０は、アクセスドメイン情報要求メッセージをＨＳＳに更に送信することができ、ここで、アクセスドメイン情報要求メッセージはＵＥの識別子を保有する。
【０２０４】
受信モジュール１０１０は、ＨＳＳによって送信されたアクセスドメイン情報応答メッセージを更に受信することができ、ここで、アクセスドメイン情報応答メッセージはアクセスドメイン情報を保有し、アクセスドメイン情報は、ホームネットワークがホームネットワークにおけるＣＳドメインを用いることによって訪問先ネットワークと通信するか否かを示すために用いられる。
【０２０５】
オプションで、別の実施形態では、送信モジュール１０３０がデータ更新要求メッセージをＨＳＳに送信した後、受信モジュール１０１０が、ＨＳＳによって送信されたデータ更新応答メッセージを更に受信することができる。ここで、データ更新応答メッセージは、付加サービスの設定に成功したことの識別子又は付加サービスの設定に失敗したことの識別子を保有する。送信モジュール１０３０は、付加サービス設定応答メッセージをＵＥに更に送信することができる。ここで、付加サービス設定応答メッセージは、付加サービスの設定に成功したことの識別子又は付加サービスの設定に失敗したことの識別子を保有する。
【０２０６】
図１０のＡＳ１０００の特殊な機能及び動作については、上記の図３ｂ及び図７の方法実施形態におけるＡＳに関係するプロセスを参照する。繰返しを回避するために、本明細書において詳細は繰り返し説明されない。
【０２０７】
図１１は、本発明の別の実施形態による呼制御デバイスの概略ブロック図である。図１１において、呼制御デバイス１１００は、着呼側ＵＥのホームネットワークに位置する。呼制御デバイス１１００は、受信機１１１０と、プロセッサ１１２０と、送信機１１３０とを備える。
【０２０８】
呼が着呼側ＵＥに対し開始されているとき、受信機１１１０は、ホームネットワークにおいて呼ルーティングデバイスによって送信されたアクセスドメイン確認要求メッセージを受信する。ここで、アクセスドメイン確認要求メッセージは、着呼側ＵＥの識別子を保有する。プロセッサ１１２０は、受信機１１１０によって受信される着呼側ＵＥの識別子に従って、ホームネットワークがホームネットワークにおけるＣＳドメインを用いることによって着呼側ＵＥの訪問先ネットワークと通信すると判断する。プロセッサ１１２０が、ホームネットワークがホームネットワークにおけるＣＳドメインを用いることによって訪問先ネットワークと通信すると判断した後、送信機１１３０はアクセスドメイン確認応答メッセージを呼ルーティングデバイスに送信し、ここで、アクセスドメイン確認応答メッセージは命令情報を保有し、命令情報は、呼ルーティングデバイスに、ホームネットワークにおけるＣＳドメインを用いることによって呼を訪問先ネットワークにルーティングするように命令するために用いられる。
【０２０９】
本発明のこの実施形態において、呼制御デバイスは、呼ルーティングデバイスから、着呼側ＵＥの識別子を保有するアクセスドメイン確認要求メッセージを受信し、着呼側ＵＥの識別子に従って、着呼側ＵＥのホームネットワークが、ホームネットワークにおけるＣＳドメインを用いることによって着呼側ＵＥの訪問先ネットワークと通信すると判断する。したがって、呼制御デバイスは、呼ルーティングデバイスに、ホームネットワークにおけるＣＳドメインを用いることによって呼を訪問先ネットワークホームにルーティングするように命令するための命令情報を保有するアクセスドメイン確認応答メッセージを呼ルーティングデバイスに送信し、それによって、サービストリガーは、ＩＭＳドメインによって制御されるのではなく、ＣＳドメインによって制御されることが可能になる。したがって、訪問先ネットワークは、サービス情報をホームネットワークにリアルタイムで返す必要がなく、着呼側ＵＥのサービスが正常にトリガーされることが可能であることが確実にされる。
【０２１０】
オプションで、一実施形態では、呼制御デバイスはＨＳＳとすることができ、呼ルーティングデバイスはＧＭＳＣとすることができる。
【０２１１】
オプションで、別の実施形態では、送信機１１３０は、アクセスドメイン確認応答メッセージを呼ルーティングデバイスに送信することができ、ここで、アクセスドメイン確認応答メッセージはＴ＿ＣＳＩを保有し、Ｔ＿ＣＳＩは、呼ルーティングデバイスに、ＣＳドメインを用いることによって、呼を訪問先ネットワークにルーティングするためのローミング番号を取得するように命令するために用いられる。
【０２１２】
オプションで、別の実施形態では、受信機１１１０は、訪問先ネットワークにおけるＶＭＳＣによって送信されるロケーション更新要求メッセージを更に受信することができ、ここで、ロケーション更新要求メッセージは着呼側ＵＥの識別子を保有する。
【０２１３】
ホームネットワークがホームネットワークにおけるＣＳドメインを用いることによって訪問先ネットワークと通信する場合、送信機１１３０は、着呼側ＵＥの識別子に従ってデータ挿入要求メッセージをＶＭＳＣに更に送信することができる。ここで、データ挿入要求メッセージは、着呼側ＵＥがホームネットワークにおけるサービスに加入しているときに記憶される加入者情報を保有し、それによってＶＭＳＣに、加入者情報に従って訪問先ネットワークへの着呼側ＵＥの登録を行うように命令する。
【０２１４】
オプションで、別の実施形態では、ロケーション更新要求メッセージはＶＬＲの番号を含むことができる。
【０２１５】
プロセッサ１１２０は、訪問先ネットワークとホームネットワークとの間のローミング協定を、ＶＬＲの番号、及びＶＬＲの番号とローミング協定との間の対応関係に従って決定することができ、訪問先ネットワークとホームネットワークとの間のローミング協定に従って、ホームネットワークがホームネットワークにおけるＣＳドメインを用いることによって訪問先ネットワークと通信すると判断することができる。
【０２１６】
オプションで、別の実施形態では、上記の加入者情報は、遅延転送サービスに関する情報を含むことができる。
【０２１７】
オプションで、別の実施形態では、受信機１１１０は、ホームネットワークにおけるＡＳによって送信されたデータ更新要求メッセージを更に受信することができる。ここで、データ更新要求メッセージは、着呼側ＵＥが付加サービスを設定することを要求していることを示すのに用いられる。プロセッサ１１２０は、ホームネットワークがホームネットワークにおけるＣＳドメインを用いることによって訪問先ネットワークと通信する場合、付加サービスをチェックすることができる。送信機１１３０は、データ更新応答メッセージをＡＳに更に送信することができ、ここで、データ更新応答メッセージは、付加サービスの設定に成功したことの識別子又は付加サービスの設定に失敗したことの識別子を保有する。
【０２１８】
オプションで、別の実施形態では、呼制御デバイスはＡＳとすることができ、呼ルーティングデバイスはＣＳＣＦデバイスとすることができる。
【０２１９】
オプションで、別の実施形態では、送信機１１３０は、アクセスドメイン確認応答メッセージを呼ルーティングデバイスに送信することができる。ここで、アクセスドメイン確認応答メッセージは特殊な番号を保有し、特殊な番号は、呼ルーティングデバイスに、ホームネットワークにおけるＣＳドメインを用いることによって呼を訪問先ネットワークにルーティングするように命令するために用いられる。
【０２２０】
オプションで、別の実施形態では、送信機１１３０は、アクセスドメイン情報要求メッセージをＨＳＳに更に送信することができる。ここで、アクセスドメイン情報要求メッセージは、着呼側ＵＥの識別子を保有する。受信機１１１０は、ＨＳＳによって送信されたアクセスドメイン情報応答メッセージを更に受信することができる。ここで、アクセスドメイン情報応答メッセージはアクセスドメイン情報を保有し、アクセスドメイン情報は、ホームネットワークがホームネットワークにおけるＣＳドメインを用いることによって訪問先ネットワークと通信することを示すのに用いられる。
【０２２１】
オプションで、別の実施形態では、受信機１１１０は、着呼側ＵＥによって送信される付加サービス設定要求メッセージを更に受信することができ、ここで、付加サービス設定要求メッセージは、着呼側ＵＥが付加サービスを設定することを要求していることを示すために用いられる。
【０２２２】
ホームネットワークがホームネットワークにおけるＣＳドメインを用いることによって訪問先ネットワークと通信する場合、送信機１１３０は、データ更新要求メッセージをＨＳＳに更に送信することができる。ここで、データ更新要求メッセージは、着呼側ＵＥが付加サービスを設定することを要求していることを示すために用いられる。
【０２２３】
受信機１１１０は、ＨＳＳによって送信されたデータ更新応答メッセージを更に受信することができる。ここで、データ更新応答メッセージは、付加サービスの設定に成功したことの識別子又は付加サービスの設定に失敗したことの識別子を保有する。
【０２２４】
送信機１１３０は、付加サービス設定応答メッセージを着呼側ＵＥに更に送信することができる。ここで、付加サービス設定応答メッセージは付加サービスの設定に成功したことの識別子又は付加サービスの設定に失敗したことの識別子を保有する。
【０２２５】
呼制御デバイス１１００の特殊な機能及び動作については、図２及び図４〜図７の方法実施形態における呼制御デバイスに関係するプロセスを参照する。繰返しを回避するために、本明細書において詳細は繰り返し説明されない。
【０２２６】
図１２は、本発明の別の実施形態によるＨＳＳの概略ブロック図である。図１２において、ＨＳＳ１２００は、ＵＥのホームネットワーク上に位置する。ＨＳＳ１２００は、受信機１２１０と、プロセッサ１２２０と、送信機１２３０とを備える。
【０２２７】
受信機１２１０は、ＵＥの訪問先ネットワークにおけるＶＭＳＣによって送信されたロケーション更新要求メッセージを受信する。ここで、ロケーション更新要求メッセージはＵＥの識別子を保有する。プロセッサ１２２０は、受信機１２１０によって受信されたＵＥの識別子に従って、ホームネットワークがホームネットワークにおけるＣＳドメインを用いることによって訪問先ネットワークと通信するか否かを判断する。プロセッサ１２２０が、ホームネットワークがホームネットワークにおけるＣＳドメインを用いることによって訪問先ネットワークと通信すると判断する場合、送信機１２３０は、データ挿入要求メッセージをＶＭＳＣに送信し、ここで、データ挿入要求メッセージは、ＵＥがホームネットワークにおけるサービスに加入しているときに記憶される加入者情報を保有し、それによって、送信機１２３０は、加入者情報に従って訪問先ネットワークへのＵＥの登録を行うようにＶＭＳＣに命令する。
【０２２８】
本発明のこの実施形態では、ホームネットワークがホームネットワークにおけるＣＳドメインを用いることによって訪問先ネットワークと通信すると判断される場合、データ挿入要求メッセージがＶＭＳＣに送信され、ここで、データ挿入要求メッセージは、ＵＥがホームネットワークにおけるサービスに加入しているときに記憶される加入者情報を保有し、それによって、ＶＭＳＣは、加入者情報に従ってＵＥのサービスのトリガーを制御することができ、ＵＥのサービスが正常にトリガーされることが可能であることが確実にされる。
【０２２９】
オプションで、一実施形態では、ロケーション更新要求メッセージはＶＬＲの番号を含む。
【０２３０】
プロセッサ１２２０は、訪問先ネットワークとホームネットワークとの間のローミング協定を、ＶＬＲの番号、及びＶＬＲの番号とローミング協定との間の対応関係に従って決定することができ、訪問先ネットワークとホームネットワークとの間のローミング協定に従って、ホームネットワークがホームネットワークにおけるＣＳドメインを用いることによって訪問先ネットワークと通信すると判断することができる。
【０２３１】
オプションで、別の実施形態では、加入者情報は、遅延転送サービスに関する情報を含むことができる。
【０２３２】
オプションで、別の実施形態では、受信機１２１０は、ホームネットワークにおけるアプリケーションサーバＡＳによって送信されたデータ更新要求メッセージを更に受信することができる。ここで、データ更新要求メッセージは、ＵＥが付加サービスを設定することを要求していることを示すために用いられる。プロセッサ１２２０は、ホームネットワークがホームネットワークにおけるＣＳドメインを用いることによって訪問先ネットワークと通信する場合、付加サービスをチェックすることができる。送信機１２３０は、データ更新応答メッセージをＡＳに更に送信することができ、ここで、データ更新応答メッセージは、付加サービスの設定に成功したことの識別子又は付加サービスの設定に失敗したことの識別子を保有する。
【０２３３】
図１２におけるＨＳＳ１２００の特殊な機能及び動作については、上記の図３ａ及び図６の方法実施形態におけるＨＳＳに関係するプロセスを参照する。繰返しを回避するために、本明細書において詳細は繰り返し説明されない。
【０２３４】
図１３は、本発明の別の実施形態によるＡＳの概略ブロック図である。図１３において、ＡＳ１３００は、ＵＥのホームネットワークに位置する。ＡＳ１３００は、受信機１３１０と、プロセッサ１３２０と、送信機１３３０とを備える。
【０２３５】
受信機１３１０は、ＵＥによって送信された付加サービス設定要求メッセージを受信する。ここで、付加サービス設定要求メッセージは、ＵＥが付加サービスを設定することを要求していることを示すために用いられる。プロセッサ１３２０は、ホームネットワークがホームネットワークにおけるＣＳドメインを用いることによってＵＥの訪問先ネットワークと通信するか否かを判断する。プロセッサ１３２０は、プロセッサ１３２０が、ホームネットワークがホームネットワークにおけるＣＳドメインを用いることによって訪問先ネットワークと通信すると判断する場合、付加サービスをチェックしない。プロセッサ１３２０が、ホームネットワークがホームネットワークにおけるＣＳドメインを用いることによって訪問先ネットワークと通信すると判断する場合、送信機１３３０はデータ更新要求メッセージをホームネットワークにおけるＨＳＳに送信し、それによって、ＨＳＳが、データ更新要求メッセージに従って付加サービスをチェックする。
【０２３６】
本発明のこの実施形態では、ＡＳが、ホームネットワークがホームネットワークにおけるＣＳドメインを用いることによって訪問先ネットワークと通信すると判断する場合、ＡＳは付加サービスをチェックせず、データ更新要求メッセージをホームネットワークにおけるＨＳＳに送信し、それによって、ＨＳＳが付加サービスをチェックする。このことは、付加サービスが２つのチェック基準を用いることによってチェックされることを回避することができ、それによって、付加サービスの不整合性が回避されることが可能である。
【０２３７】
オプションで、一実施形態では、送信機１３３０は、アクセスドメイン情報要求メッセージをＨＳＳに更に送信することができ、ここで、アクセスドメイン情報要求メッセージはＵＥの識別子を保有する。
【０２３８】
受信機１３１０は、ＨＳＳによって送信されたアクセスドメイン情報応答メッセージを更に受信することができ、ここで、アクセスドメイン情報応答メッセージはアクセスドメイン情報を保有し、アクセスドメイン情報は、ホームネットワークがホームネットワークにおけるＣＳドメインを用いることによって訪問先ネットワークと通信するか否かを示すために用いられる。
【０２３９】
オプションで、別の実施形態では、送信機１３３０がデータ更新要求メッセージをＨＳＳに送信した後、受信機１３１０が、ＨＳＳによって送信されたデータ更新応答メッセージを更に受信することができる。ここで、データ更新応答メッセージは、付加サービスの設定に成功したことの識別子又は付加サービスの設定に失敗したことの識別子を保有する。送信機１３３０は、付加サービス設定応答メッセージをＵＥに更に送信することができる。ここで、付加サービス設定応答メッセージは、付加サービスの設定に成功したことの識別子又は付加サービスの設定に失敗したことの識別子を保有する。
【０２４０】
図１３のＡＳ１３００の特殊な機能及び動作については、上記の図３ｂ及び図７の方法実施形態におけるＡＳに関係するプロセスを参照する。繰返しを回避するために、本明細書において詳細は繰り返し説明されない。
【０２４１】
当業者は、本明細書において開示した実施形態に記載されている例と組み合わせて、ユニット及びアルゴリズムステップが、電子ハードウェア、又はソフトウェア及び電子ハードウェアとの組み合わせによって実施されることが可能であることを認識することができる。機能がハードウェアによって実行されるか又はソフトウェアによって実行されるかは、技術的解決策の特定の用途及び設計制約条件に依拠する。当業者は、特定の用途ごとに、様々な方法を用いて、記載された機能を実施することができるが、実施が本発明の範囲を超えるとみなされるべきではない。
【０２４２】
説明の都合上、及び説明を簡潔にするために、上記のシステム、装置及びユニットの詳細な作動プロセスについては、上記の方法実施形態における対応するプロセスを参照し、本明細書において詳細が繰り返し説明されないことが当業者によって明確に理解されることが可能である。
【０２４３】
本出願において提供される幾つかの実施形態において、開示されるシステム、装置及び方法は、他の方式で実施されることが可能である。例えば、記載される装置実施形態は単なる例示である。例えば、ユニットの分割は単に論理的機能分割であり、実際の実施態様では他の分割であり得る。例えば、複数のユニット又はコンポーネントが組み合わされるか若しくは統合されて別のシステムにされることが可能であるか、又は幾つかの機能が無視されるか若しくは実行されないことが可能である。更に、表示又は検討される相互結合又は直接結合又は通信接続は、何らかのインタフェースを通じて実施されることが可能である。装置又はユニット間の間接的な結合又は通信接続は、電子的に、機械的に、又は他の形式で実施されることが可能である。
【０２４４】
別個の部分として記載されたユニットは、物理的に別個であっても又は別個でなくてもよく、ユニットとして表示される部分は、物理的ユニットであっても又は物理的ユニットでなくてもよく、１つの位置に配置されても、又は複数のネットワークユニットに分散されてもよい。ユニットのうちの幾つか又は全ては、実施形態の解決策の目的を達成するための実際の必要に応じて選択されることが可能である。
【０２４５】
更に、本発明の実施形態における機能ユニットは、１つの処理ユニットに統合することができるか、又はユニットの各々が物理的に単独で存在することができるか、又は２つ以上のユニットが１つのユニットに統合される。
【０２４６】
機能がソフトウェア機能ユニットの形態で実施され、独立した製品として販売又は使用されるとき、機能は、コンピュータ可読記憶媒体に記憶されることが可能である。そのような理解に基づいて、本発明の技術的解決策が本質的に、又は従来技術に貢献する部分が、又は技術的解決策のうちの幾つかが、ソフトウェア製品の形態で実施されることが可能である。ソフトウェア製品は、記憶媒体に記憶され、コンピュータデバイス（パーソナルコンピュータ、サーバ又はネットワークデバイスとすることができる）に、本発明の実施形態において記載された方法のステップの全て又は幾つかを実行するように命令するための幾つかの命令を含む。上記の記憶媒体は、ＵＳＢフラッシュドライブ、取外し可能なハードディスク、リードオンリーメモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク又は光ディスク等の、プログラムコードを記憶することができる任意の媒体を含む。
【０２４７】
上記の記載は、単に、本発明の特定の実施方式であり、本発明の保護範囲を限定することは意図されていない。本発明に開示されている技術範囲内で当業者によって容易に考え出される任意の変形又は置換えは、本発明の保護範囲内にあるものとする。したがって、本発明の保護範囲は、特許請求の範囲の保護範囲に従うものとする。
【図１】
0006351728.tif 000002
【図２】
0006351728.tif 000003
【図３ａ】
0006351728.tif 000004
【図３ｂ】
0006351728.tif 000005
【図４】
0006351728.tif 000006
【図５】
0006351728.tif 000007
【図６】
0006351728.tif 000008
【図７】
0006351728.tif 000009
【図８】
0006351728.tif 000010
【図９】
0006351728.tif 000011
【図１０】
0006351728.tif 000012
【図１１】
0006351728.tif 000013
【図１２】
0006351728.tif 000014
【図１３】
0006351728.tif 000015